(57)【要約】      （修正有）【課題】ランダムアクセスチャネル（ＲＡＣＨ）手順中に物理アップリンク共有チャネル（ＰＵＳＣＨ）の最初のメッセージの送信電力を制御するための方法を提供する。【解決手段】アップリンク物理ランダムアクセスチャネルは、レジストレーションまたは基地局の呼び出し中にユーザ機器（ＵＥ）によって送信されるＲＡＣＨ情報を運ぶ。ＰＲＡＣＨは、多くのプリアンブルおよびメッセージ部分からなる。プリアンブルは、プリアンブルの最大数に達するまでセットする電力ステップまたは基地局確認に従って電力が増加する、一連の無線周波数電力「ステップ」である。一旦ＵＥが肯定的な指示を受け取れば（２１０）、それは、独立した電力利得制御を備えたメッセージデータおよび制御データから成るＰＲＡＣＨのメッセージ部分を送信する（２１２）。【選択図】図２
2014042276.tif 000002
【特許請求の範囲】
【請求項１】
物理ランダムアクセスチャネル上のランダムアクセスチャネル手順中の物理アップリンク共有チャネル上の最初のメッセージの送信電力制御のための方法であって、
次の行為をインプリメントするためにコンピュータ可読記憶媒体上に格納されたコンピュータ実行命令を実行するプロセッサを使用することと、
成功受信のために十分なランダムアクセスチャネルプリアンブルを送信するための送信電力制御を行うことと、
成功裏に受信された前記ランダムアクセスチャネルプリアンブルの少なくとも一部に基づいた物理アップリンク共有チャネル上で送信した最初のメッセージのための送信電力制御をセットすることと、
を具備する方法。
【請求項２】
物理アップリンク共有チャネル上で送信するための十分な電力スペクトル密度を決定することによって、送信電力制御を行うことをさらに具備する、請求項１の方法。
【請求項３】
前記ランダムアクセスチャネルプリアンブルと前記物理アップリンク共有チャネルとの間の帯域幅差を補うことをさらに具備する、請求項２の方法。
【請求項４】
送信電力制御を行う中で、前記物理アップリンク共有チャネルの送信に適用可能でない前記ランダムアクセスチャネルプリアンブルのオフセットをアカウントすることをさらに具備する、請求項２の方法。
【請求項５】
成功裏に受信された前記ランダムアクセスチャネルプリアンブルに使用された送信電力制御の指示を物理ランダムアクセスチャネル上で送信することと、
ランダムアクセスレスポンスを備えた物理アップリンク共有チャネル用の前記ランダムアクセスチャネルプリアンブルのために使用された送信電力制御の前記指示に部分的に基づいた送信電力制御コマンドを受け取ることと、
をさらに具備する、請求項１の方法。
【請求項６】
成功裏に受信された前記ランダムアクセスチャネルプリアンブルの送信のために使用された電力スペクトル密度から物理アップリンク共有チャネルのための電力スペクトル密度中の相対変化を具備する前記物理アップリンク共有チャネルのための前記送信電力制御コマンドを受け取ることをさらに具備する、請求項５の方法。
【請求項７】
再送信の数を伝えることによって、送信電力制御の前記指示を物理ランダムアクセスチャネル上で送信することをさらに具備し、
前記送信電力制御は、前記再送信の数のファンクションとして定義された電力増加に基づいて決定することができる、請求項５の方法。
【請求項８】
前記ランダムアクセスチャネルプリアンブルの受信の肯定的な指示を受け取ることと、  独立した電力利得制御を含むメッセージデータまたは制御データを含んでいるメッセージ部分を送信することと、
をさらに具備する、請求項１の方法。
【請求項９】
ランダムアクセスレスポンスを受け取ることによって、前記ランダムアクセスチャネルプリアンブルの受信の前記肯定的な指示を受け取ることをさらに具備する、請求項８の方法。
【請求項１０】
媒体アクセス制御層によって、前記ランダムアクセスチャネルプリアンブルの送信を管理することと、
物理層によって、物理アップリンク共有チャネルの送信を管理することと、
をさらに具備する、請求項１の方法。
【請求項１１】
名目上の送信電力値でランダムアクセスチャネルプリアンブルを送信することと、
ランダムアクセスレスポンスを受け取らないことに応じてステップアップされた送信電力値でランダムアクセスチャネルプリアンブルを再送信することと、
をさらに具備する、請求項１の方法。
【請求項１２】
均等な電力ステップで増加することによって、物理ランダムアクセスチャネル上のランダムアクセスチャネルプリアンブル上で送信するための送信電力制御を行うことと、
前記ランダムアクセスチャネルプリアンブルが成功裏に受け取られるまで使用された均等な電力ステップの数の追跡によって、相対的な送信電力制御を決定することと、
をさらに具備する、請求項１の方法。
【請求項１３】
前記均等な電力ステップの数を制限する最大の送信電力の決定によって、前記相対的な送信電力制御を決定することをさらに具備する、請求項１２の方法。
【請求項１４】
媒体アクセス制御層によって管理された名目上の送信電力値でランダムアクセスチャネルプリアンブルを送信することと、
前記ランダムアクセスチャネルプリアンブルの受信の肯定的な指示を受け取らないことに応じて均等な電力ステップで増加することによって、物理ランダムアクセスチャネル上で送信するための送信電力制御を行うことと、
ステップアップされた送信電力値でランダムアクセスチャネルプリアンブルを再送信することと、
均等な電力ステップの数の追跡によって、相対的な送信電力制御を決定することと、  前記ランダムアクセスチャネルプリアンブルの受信の肯定的な指示を受け取ることと、  送信電力の指示を物理ランダムアクセスチャネル上で送信することと、
成功裏に受信された前記ランダムアクセスチャネルプリアンブルの前記送信電力に部分的に基づいて決定された物理アップリンク共有チャネル電力スペクトル密度へオフセットを示す送信電力制御コマンドを受け取ることと、 
物理アップリンク共有チャネル上で送信され、成功裏に受信された前記ランダムアクセスチャネルプリアンブルに部分的に基づいた前記送信電力制御コマンドに従って、物理層によって、物理アップリンク共有チャネルの送信を管理された最初のメッセージのための送信電力制御をセットすることと、
をさらに具備する、請求項１の方法。
【請求項１５】
ノイズ／干渉変化のために調整することによって、物理アップリンク共有チャネル上で送信された前記最初のメッセージのための送信電力制御をセットすることをさらに具備する、請求項１４の方法。
【請求項１６】
異なるメッセージ受信感度／品質要求を表す電力オフセットのために調整することによって、物理アップリンク共有チャネル上で送信された前記最初のメッセージのための送信電力制御をセットすることをさらに具備する、請求項１４の方法。
【請求項１７】
成功裏に受信された前記ランダムアクセスチャネルプリアンブルのために使用された送信電力スペクトル密度のためのローカル保存値にアクセスすることと、
前記ローカル保存値の少なくとも一部に基づいた送信電力制御をセットすることと、  をさらに具備する、請求項１の方法。
【請求項１８】
物理アップリンク共有チャネル上の一部のパスロスのために調整することをさらに具備し、物理ランダムアクセスチャネルのための合計電力制御は、全部のパスロス用である、請求項１の方法。
【請求項１９】
物理ランダムアクセスチャネルおよび物理アップリンク共有チャネルの相対的な受信感度のために調整することをさらに具備する、請求項１の方法。
【請求項２０】
前記相対的な受信感度は、カバレッジ要求、目標品質、物理層コーディング、変調、伝送帯域幅およびペイロードサイズの少なくとも１つのファンクションである、請求項１９の方法。
【請求項２１】
物理ランダムアクセスチャネルおよび物理アップリンク共有チャネルのために見られた異なるノイズ／干渉レベルのために調整することをさらに具備する、請求項１の方法。
【請求項２２】
物理ランダムアクセスチャネル上のランダムアクセスチャネル手順中の物理アップリンク共有チャネル上の最初のメッセージの送信電力制御のためのコンピュータプログラムプロダクトであって、
少なくとも１つのプロセッサによって実行された時、コンポーネントをインプリメントするコンピュータ実行命令を格納する少なくとも１つのコンピュータ可読記憶媒体を具備し、
前記コンポーネントは、
成功受信のために十分なランダムアクセスチャネルプリアンブルの送信上で送信電力制御をコンピュータに行わせるための命令の第１のセットと、
成功裏に受信された前記ランダムアクセスチャネルプリアンブルの少なくとも一部に基づいた物理アップリンク共有チャネル上で送信された最初のメッセージのための送信電力制御を前記コンピュータにセットさせるための命令の第２のセットと、
を具備するコンピュータプログラムプロダクト。
【請求項２３】
物理ランダムアクセスチャネル上のランダムアクセスチャネル手順中の物理アップリンク共有チャネル上の最初のメッセージの送信電力制御のための装置であって、
少なくとも１つのプロセッサと、
前記少なくとも１つのプロセッサによって実行された時、コンポーネントをインプリメントするコンピュータ実行命令を格納する少なくとも１つのコンピュータ可読記憶媒体と、
を具備し、
前記コンポーネントは、
成功受信のために十分なランダムアクセスチャネルプリアンブルの送信上で送信電力制御を行うための手段と、
成功裏に受信された前記ランダムアクセスチャネルプリアンブルの少なくとも一部に基づいた物理アップリンク共有チャネル上で送信された最初のメッセージのための送信電力制御をセットするための手段と、
を具備するコンピュータプログラムプロダクト。
【請求項２４】
物理ランダムアクセスチャネル上のランダムアクセスチャネル手順中の物理アップリンク共有チャネル上の最初のメッセージの送信電力制御のための装置であって、
物理ランダムアクセスチャネルおよび物理アップリンク共有チャネルを送信するための送信機と、
受信機と、
ランダムアクセスチャネルプリアンブルの送信上で送信電力制御を行うための媒体アクセス制御層と、
成功裏に受信された前記ランダムアクセスチャネルプリアンブルに基づいた物理アップリンク共有チャネル上で送信した最初のメッセージのための送信電力制御をセットするための物理層と、
を具備する装置。
【請求項２５】
前記媒体アクセス制御層は、さらに、物理アップリンク共有チャネル上で送信するための十分な電力スペクトル密度を決定することによって、送信電力制御を行う、請求項２４の装置。
【請求項２６】
前記物理層は、さらに、前記ランダムアクセスチャネルプリアンブルと前記物理アップリンク共有チャネルとの間の帯域幅差を補う、請求項２５の装置。
【請求項２７】
前記物理層は、さらに、送信電力制御を行う中で、前記物理アップリンク共有チャネルの送信に適用可能でない前記ランダムアクセスチャネルプリアンブルのオフセットをアカウントする、請求項２５の装置。
【請求項２８】
前記媒体アクセス制御層は、さらに、成功裏に受信された前記ランダムアクセスチャネルプリアンブルに使用された送信電力の指示を物理ランダムアクセスチャネル上で送信し、
前記受信機は、さらに、前記指示の少なくとも一部に基づいたランダムアクセスレスポンスを備えた物理アップリンク共有チャネル用の送信電力制御コマンドを受け取る、
請求項２４の装置。
【請求項２９】
前記受信機は、さらに、成功裏に受信された前記ランダムアクセスチャネルプリアンブルのために使用された送信電力レベルからの相対変化を具備する前記物理アップリンク共有チャネルのための送信電力制御コマンドを受け取る、請求項２８の装置。
【請求項３０】
再送信の数を伝えることによって、送信電力制御の前記指示を物理ランダムアクセスチャネル上で送信することをさらに具備し、
前記送信電力制御は、前記再送信の数のファンクションとして定義された電力増加に基づいて決定することができる、請求項２９の装置。
【請求項３１】
前記受信機は、さらに、ランダムアクセスチャネルプリアンブル受信の肯定的な指示を受け取り、
前記送信機は、さらに、独立した電力利得制御を含むメッセージデータまたは制御データを含んでいるメッセージ部分を送信する、
請求項２８の装置。
【請求項３２】
前記受信機は、さらに、ランダムアクセスレスポンスを受け取ることによって、前記ランダムアクセスチャネルプリアンブルの受信の前記肯定的な指示を受け取る、請求項３１の装置。
【請求項３３】
前記媒体アクセス制御層は、
名目上の送信電力値でランダムアクセスチャネルプリアンブルを送信することと、
ランダムアクセスレスポンスを受け取らないことに応じてステップアップされた送信電力値でランダムアクセスチャネルプリアンブルを再送信することと、
をさらに具備する、請求項２４の装置。
【請求項３４】
前記媒体アクセス制御層は、
均等な電力ステップで増加することによって、物理ランダムアクセスチャネル送信のための送信電力制御を行うことと、
物理ランダムアクセスチャネルプリアンブルが成功裏に受け取られるまで使用された均等な電力ステップの数の追跡によって、相対的な送信電力制御を決定することと、
をさらに具備する、請求項２４の装置。
【請求項３５】
前記媒体アクセス制御層は、
前記媒体アクセス制御層によって管理された名目上の送信電力値でランダムアクセスチャネルプリアンブルを送信することと、
受信の肯定的な指示を受け取らないことに応じて均等な電力ステップで増加することによって、ランダムアクセスチャネルプリアンブルを送信するための送信電力制御を行うことと、
ステップアップされた送信電力値でランダムアクセスチャネルプリアンブルを再送信することと、
均等な電力ステップの数の追跡によって、相対的な送信電力制御を決定することと、  を具備し、
前記受信機は、さらに、前記ランダムアクセスチャネルプリアンブルの受信の前記肯定的な指示を受け取り、
前記媒体アクセス制御層は、さらに、物理ランダムアクセスチャネル上で送信電力の指示を送信し、
前記受信機は、さらに、成功裏に受信された前記ランダムアクセスチャネルプリアンブルの前記送信電力に部分的に基づいて決定された物理アップリンク共有チャネル電力スペクトル密度へオフセットを示す送信電力制御コマンドを受け取り、
前記物理層は、物理アップリンク共有チャネル上で送信され、成功裏に受信されたランダムアクセスチャネルプリアンブルの少なくとも一部に基づいた前記送信電力制御コマンドに従って、前記物理層によって、物理アップリンク共有チャネルの送信を管理された最初のメッセージのための送信電力制御をセットする、
請求項２４の装置。
【請求項３６】
前記物理層は、さらに、前記均等な電力ステップの数を制限する最大の送信電力の決定によって、前記相対的な送信電力制御を決定する、請求項３５の装置。
【請求項３７】
前記物理層は、さらに、ノイズ／干渉変化のために調整することによって、物理アップリンク共有チャネル上で送信された前記最初のメッセージのための送信電力制御をセットする、請求項３５の装置。
【請求項３８】
前記物理層は、さらに、異なるメッセージ受信感度／品質要求を表す電力オフセットのために調整することによって、物理アップリンク共有チャネル上で送信された前記最初のメッセージのための送信電力制御をセットする、請求項３５の装置。
【請求項３９】
前記物理層は、
成功裏に受信された前記ランダムアクセスチャネルプリアンブルのために使用された送信電力スペクトル密度のためのローカル保存値にアクセスすることと、
前記ローカル保存値の少なくとも一部に基づいた送信電力制御をセットすることと、  をさらに具備する、請求項２４の装置。
【請求項４０】
前記物理層は、さらに、物理アップリンク共有チャネル上の一部のパスロスのために調整し、物理ランダムアクセスチャネルのための合計電力制御は、全部のパスロス用である、請求項２４の装置。
【請求項４１】
前記物理層は、さらに、物理ランダムアクセスチャネルおよび物理アップリンク共有チャネルの相対的な受信感度のために調整する、請求項２４の装置。
【請求項４２】
前記相対的な受信感度は、カバレッジ要求、目標品質、物理層コーディング、変調、伝送帯域幅およびペイロードサイズの少なくとも１つのファンクションである、請求項４１の装置。
【請求項４３】
物理ランダムアクセスチャネル上のランダムアクセスチャネル手順中の物理アップリンク共有チャネル上の最初のメッセージの送信電力制御のための方法であって、
次の行為をインプリメントするためにコンピュータ可読記憶媒体上に格納されたコンピュータ実行命令を実行するプロセッサを使用することと、
ランダムアクセスチャネルプリアンブルを受け取ることと、
前記ランダムアクセスチャネルプリアンブルの成功受信を確認することと、
成功裏に受信された前記ランダムアクセスチャネルプリアンブルに使用された送信電力制御の指示を含むランダムアクセスチャネルメッセージを受け取ることと、
成功裏に受信された前記ランダムアクセスチャネルプリアンブルのための送信電力制御の少なくとも一部に基づいた物理アップリンク共有チャネル上で送信した最初のメッセージのための送信電力制御コマンドを含むランダムアクセスレスポンスを送信することと、  を具備する、方法。
【請求項４４】
成功裏に受信された前記ランダムアクセスチャネルプリアンブルのために使用された送信電力からの相対的な電力変化を具備する前記物理アップリンク共有チャネルのための送信電力制御コマンドを送信することをさらに具備する、請求項４３の方法。
【請求項４５】
前記ランダムアクセスチャネルプリアンブルの受信の肯定的な指示を送信することと、  独立した電力利得制御を含むメッセージデータまたは制御データを含むメッセージ部分を受け取ることと、
をさらに具備する、請求項４４の方法。
【請求項４６】
前記最初のメッセージの物理アップリンク共有チャネル上で送信するための十分な電力スペクトル密度を決定することによって、物理アップリンク共有チャネル上で送信された前記最初のメッセージのための送信電力制御コマンドを決定することをさらに具備する、請求項４３の方法。
【請求項４７】
前記ランダムアクセスチャネルプリアンブルと前記物理アップリンク共有チャネルの間の帯域幅差を補うことによって、物理アップリンク共有チャネル上で送信された前記最初のメッセージのための送信電力制御コマンドを決定することをさらに具備する、請求項４３の方法。
【請求項４８】
物理アップリンク共有チャネルの送信に適用可能でない前記ランダムアクセスチャネルプリアンブルのオフセットをアカウントすることによって、物理アップリンク共有チャネル上で送信された前記最初のメッセージのための送信電力制御コマンドを決定することをさらに具備する、請求項４３の方法。
【請求項４９】
ノイズ／干渉変化のために調整することによって、物理アップリンク共有チャネル上で送信された前記最初のメッセージのための送信電力制御コマンドを決定することをさらに具備する、請求項４３の方法。
【請求項５０】
異なるメッセージ受信感度／品質要求を表す電力オフセットのために調整することによって、物理アップリンク共有チャネル上で送信された前記最初のメッセージのための送信電力制御をセットすることによって、物理アップリンク共有チャネル上で送信された前記最初のメッセージのための送信電力制御コマンドを決定することをさらに具備する、請求項４３の方法。
【請求項５１】
物理ランダムアクセスチャネル上のランダムアクセスチャネル手順中の物理アップリンク共有チャネル上の最初のメッセージの送信電力制御のためのコンピュータプログラムプロダクトであって、
少なくとも１つのプロセッサによって実行された時、コンポーネントをインプリメントするコンピュータ実行命令を格納する少なくとも１つのコンピュータ可読記憶媒体を具備し、
前記コンポーネントは、
ランダムアクセスチャネルプリアンブルを受け取るための命令の第１のセットと、
前記ランダムアクセスチャネルプリアンブルの成功受信を確認するための命令の第２のセットと、
成功裏に受信された前記ランダムアクセスチャネルプリアンブルに使用された送信電力制御の指示を含むランダムアクセスチャネルメッセージを受け取るための命令の第３のセットと、
成功裏に受信された前記ランダムアクセスチャネルプリアンブルのための送信電力制御の少なくとも一部に基づいた物理アップリンク共有チャネル上で送信された最初のメッセージのための送信電力制御コマンドを含むランダムアクセスレスポンスを送信するための命令の第４のセットと、
を具備するコンピュータプログラムプロダクト。
【請求項５２】
物理ランダムアクセスチャネル上のランダムアクセスチャネル手順中の物理アップリンク共有チャネル上の最初のメッセージの送信電力制御のための装置であって、
少なくとも１つのプロセッサと、
前記少なくとも１つのプロセッサによって実行された時、コンポーネントをインプリメントするコンピュータ実行命令を格納する少なくとも１つのコンピュータ可読記憶媒体と、
を具備し、
前記コンポーネントは、
ランダムアクセスチャネルプリアンブルを受け取るための手段と、
前記ランダムアクセスチャネルプリアンブルの成功受信を確認するための手段と、
成功裏に受信された前記ランダムアクセスチャネルプリアンブルに使用された送信電力制御の指示を含むランダムアクセスチャネルメッセージを受け取るための手段と、
成功裏に受信された前記ランダムアクセスチャネルプリアンブルのための送信電力制御の少なくとも一部に基づいた物理アップリンク共有チャネル上で送信した最初のメッセージのための送信電力制御コマンドを含むランダムアクセスレスポンスを送信するための手段と、
を具備する装置。
【請求項５３】
物理ランダムアクセスチャネル上のランダムアクセスチャネル手順中の物理アップリンク共有チャネル上の最初のメッセージの送信電力制御のための装置であって、
物理ランダムアクセスチャネル上のランダムアクセスチャネルプリアンブルを受け取るための受信機と、
前記ランダムアクセスチャネルプリアンブルの成功受信を確認するための送信機と、  前記受信機は、さらに、成功裏に受信された前記ランダムアクセスチャネルプリアンブルのための送信電力制御の指示を含むランダムアクセスチャネルメッセージを受け取る、  成功裏に受信された前記ランダムアクセスチャネルプリアンブルのための送信電力制御の少なくとも一部に基づいた物理アップリンク共有チャネル上で送信された最初のメッセージのための送信電力制御コマンドを含むランダムアクセスレスポンスを前記送信機によって送信するためのコンピューティングプラットフォームと、
を具備する装置。
【請求項５４】
前記コンピューティングプラットフォームは、さらに、成功裏に受信された前記ランダムアクセスチャネルプリアンブルに使用された送信電力からの相対的な電力変化を具備する前記物理アップリンク共有チャネルのための送信電力制御コマンドを前記送信機によって送信する、請求項５３の装置。
【請求項５５】
前記コンピューティングプラットフォームは、さらに、ランダムアクセスチャネルプリアンブル受信の肯定的な指示を前記送信機によって送信し、
前記受信機は、さらに、独立した電力利得制御を含むメッセージデータまたは制御データを含むメッセージ部分を受け取る、請求項５４の装置。
【請求項５６】
前記コンピューティングプラットフォームは、さらに、前記最初のメッセージの物理アップリンク共有チャネル上で送信するための十分な電力スペクトル密度を決定することによって、物理アップリンク共有チャネル上で送信された前記最初のメッセージのための送信電力制御コマンドを決定する、請求項５３の装置。
【請求項５７】
前記コンピューティングプラットフォームは、さらに、前記ランダムアクセスチャネルプリアンブルと前記物理アップリンク共有チャネルの間の帯域幅差を補うことによって、物理アップリンク共有チャネル上で送信された前記最初のメッセージのための送信電力制御コマンドを決定する、請求項５４の装置。
【請求項５８】
前記コンピューティングプラットフォームは、さらに、物理アップリンク共有チャネルの送信に適用可能でない前記ランダムアクセスチャネルプリアンブルのオフセットをアカウントすることによって、物理アップリンク共有チャネル上で送信された前記最初のメッセージのための送信電力制御コマンドを決定する、請求項５３の装置。
【請求項５９】
前記コンピューティングプラットフォームは、さらに、ノイズ／干渉変化のために調整することによって、物理アップリンク共有チャネル上で送信された前記最初のメッセージのための送信電力制御コマンドを決定する、請求項５３の装置。
【請求項６０】
前記コンピューティングプラットフォームは、さらに、異なるメッセージ受信感度／品質要求を表す電力オフセットのために調整することによって、物理アップリンク共有チャネル上で送信された前記最初のメッセージのための送信電力制御をセットすることによって、物理アップリンク共有チャネル上で送信された前記最初のメッセージのための送信電力制御コマンドを決定する、請求項５３の装置。
【発明の詳細な説明】
【背景】
【０００１】
［分野］
本開示は、通信、特にランダムアクセスチャネル（ＲＡＣＨ）手順中に物理アップリンク共有チャネル（ＰＵＳＣＨ）の最初のメッセージの送信電力を制御するための技術に、一般に関係がある。
【０００２】
［背景］
無線通信システムは、音声、データなどのような様々なタイプの通信内容を提供するために広く展開される。これらのシステムは、利用可能なシステムリソース（例えば、帯域幅と送信電力）の共有によって、複数ユーザとの通信をサポートすることができるマルチプルアクセスシステムでもよい。そのようなマルチプルアクセスシステムの例は、符号分割多重接続（ＣＤＭＡ）システム、時分割多重接続（ＴＤＭＡ）システム、周波数分割多元接続（ＦＤＭＡ）システムおよび直交周波数分割多元接続（ＯＦＤＭＡ）システムを含んでいる。
【０００３】
一般に、無線マルチプルアクセス通信システムは、マルチプル無線端末のための通信を同時にサポートすることができる。各ターミナルは、フォワードおよびリバースリンク上の通信によって１つ以上の基地局と通信する。フォワードリンク（またはダウンリンク）は、基地局からターミナルへの通信リンクを指す。また、リバースリンク（またはアップリンク）は、ターミナルから基地局への通信リンクを指す。この通信リンクは、シングルインシングルアウト、マルチプルインシングルアウトまたはマルチプルインマルチプルアウト（ＭＩＭＯ）システムによって確立されてもよい。
【０００４】
第３世代パートナーシッププロジェクト（3rd Generation Partnership Project）（３ＧＰＰ）の長期的な発展（ＬＴＥ）は、グローバル移動体通信システム（ＧＳＭ（登録商標））およびユニバーサル移動体通信システム（ＵＭＴＳ）の自然な発展として、セルラー技術で主な進歩を示し、セルラーサービスで次の段階の進歩である。ＬＴＥは、７５メガビット／秒（Ｍｂｐｓ）以下のアップリンク速度および３００Ｍｂｐｓ以下のダウンリンク速度を備え、セルラーネットワークに多くの技術的な利点をもたらす。ＬＴＥは、高容量音声サポートと同様に、次の１０年間へ高速データおよび媒体トランスポートのキャリヤ必要を満たすことを目指している。帯域幅は、１．２５ＭＨｚから２０ＭＨｚまで計測可能である。これは、異なる帯域幅アロケーションを持っている異なるネットワークオペレータの必要に適して、オペレーターがスペクトルアベイラビリテイに基づいた異なるサービスを提供することをさらに可能にする。ＬＴＥが、与えられた帯域幅上でより多くのデータおよび音声サービスを提供することをキャリヤが可能にし、３Ｇネットワークのスペクトル効率を改善すると予想される。ＬＴＥは、高速データ、マルチメディアユニキャストおよびマルチメディアブロードキャストサービスを包含する。
【０００５】
ＬＴＥ物理層（ＰＨＹ）は、エンハンスされた基地局（ｅＮｏｄｅＢ）およびモバイルユーザ機器（ＵＥ）の間のデータおよび制御情報の両方を伝える非常に効率的な手段である。ＬＴＥ  ＰＨＹは、いくつかの先行技術を使用する。これらは、ダウンリンク（ＤＬ）上の直交周波数分割多元接続（ＯＦＤＭＡ）および、マルチプルインプットマルチプルアウトプット（ＭＩＭＯ）データ伝送、アップリンク（ＵＬ）上の周波数分割多元接続（ＳＣ−ＦＤＭＡ）を含んでいる。ＯＦＤＭＡおよびＳＣ−ＦＤＭＡは、シンボル期間の特定の数のためのリソースブロック（ＲＢ）によって表示された１組のサブキャリア基盤上のデータが複数ユーザに向けられるまたは複数ユーザから導かれることを可能にする。
【０００６】
媒体アクセス制御（ＭＡＣ）層は、物理層上にあり、ランダムアクセスチャネル、スケジューリング、ビルディングヘッダーなどを含むアップリンク機能を行う。ＭＡＣ層のトランスポートチャネルは、ＰＨＹ層チャネル上にマッピングされる。アップリンク共有チャネル（ＵＬ−ＳＣＨ）は、ＵＬ上のデータ伝送のための主要なトランスポートチャネルであり、物理アップリンク共有チャネル（ＰＵＳＣＨ）上にマッピングされる。フォーマット変数は、データ率を決定する、リソース割当サイズ、変調およびコーディングである。ＵＥが接続されないまたは同期されない場合、送信サブフレームはスケジュールされない。ランダムアクセスチャネル（ＲＡＣＨ）は、ＵＬにアクセスするために、分離されたデバイスまたは同期されなかったデバイスのための手段を提供する。ＰＵＳＣＨの上で送信することは、ｅＮｏｄｅＢからのリソース割り当ておよび電流であるタイムアライメントを要求する。そうでなければ、ＲＡＣＨ手順は使用される。
【０００７】
ＲＡＣＨ手順は、４つのケースの中で使用される：切断状態（ＲＲＣ＿ＩＤＬＥ）または無線通信故障からの最初のアクセス、ランダムアクセス手順を要求するハンドオーバ、ＵＬ  ＰＨＹが失った同期（恐らく節電動作による）を有した後のＲＲＣ＿ＣＯＮＮＥＣＴＥＤの間のダウンリンク（ＤＬ）データアライバル、または利用可能なＰＵＣＣＨチャネル上に専用のスケジューリングリクエスト（ＳＲ）がない場合のＵＬデータアライバル。ＲＡＣＨ送信のために２つの形式がある：コンテンションに基づくもの（４つのすべての上記の事項に適用できる）、非コンテンションに基づくもの（ハンドオーバおよびＤＬデータアライバルのみに適用する）。違いは、オーバーラップするＲＡＣＨプリアンブルを使用して失敗の可能性があるかどうかである。
【概要】
【０００８】
［35 U.S.C. §119に基づく優先権主張］
特許のための本出願は、譲受人に譲受され、参照によってここに明確に組込まれた、２００８年６月２４日に出願された、「METHOD AND APPARATUS FOR POWER CONTROL PRACH TO、PUSCH」と題された、仮出願番号第６１／０７５，２６１号に優先権を主張する。
【０００９】
下記は、開示された態様のいくつかの態様の基本的な理解を提供するために簡易化された概要を示す。この概要は、広範囲な概観でなく、重要または重大なエレメントを確認せず、そのような態様の範囲を描写しないように意図される。その目的は、後で開示されるさらに詳細な記述の前置きとして、簡易化された形式で記述された特徴のいくつかの概念を提示することである。
【００１０】
１つ以上の態様およびそれに対応する開示に従って、種々の態様は、送信電力制御の適切なアプリケーションによって、物理アップリンク共有チャネル（ＰＵＳＣＨ）上の最初の通信を送信することを参照して記述される。ランダムアクセスチャネル（ＲＡＣＨ）手順の先のステップは、物理（ＰＨＹ）層によってではなく、媒体アクセス制御（ＭＡＣ）層によって行われる。したがって、ＰＨＹ層は、この最初のメッセージのための送信電力レベルをセットすることを知らない。その目的のために、物理ランダムアクセスチャネル（ＰＲＡＣＨ）上で成功送信に使用された送信電力制御（ＴＰＣ）レベルは、最初のＰＵＳＣＨメッセージの送信に使用された電力スペクトル密度の少なくとも一部に基づいたＴＰＣコマンドを生成すために、エボルブベースノード（ｅＮＢ）に伝達することができる。または、ＲＡＣＨプリアンブルの送信を管理するＵＥのＭＡＣ層は、最初のＰＵＳＣＨメッセージを送信するＵＥの物理（ＰＨＹ）層に成功したＴＰＣレベルを伝達することができる。
【００１１】
１つの態様では、方法は、次の行為を実行するためにコンピュータ可読記憶媒体上に格納されたコンピュータ実行命令を実行するプロセッサの使用によって、ランダムアクセス（ＲＡＣＨ）手順中に最初の物理アップリンク共有チャネル（ＰＵＳＣＨ）メッセージを送信するために提供される。送信電力制御は、成功受信に十分なランダムアクセスチャネル（ＲＡＣＨ）プリアンブルの送信上で行われる。送信電力制御は、成功裏に送信されたＲＡＣＨプリアンブルの少なくとも一部に基づいた物理アップリンク共有チャネル（ＰＵＳＣＨ）上で送信された最初のメッセージのためにセットされる。
【００１２】
別の態様では、コンピュータプログラムプロダクトは、ランダムアクセス（ＲＡＣＨ）手順中に最初の物理アップリンク共有チャネル（ＰＵＳＣＨ）メッセージを送信するために提供される。少なくとも１つのコンピュータ可読記憶媒体は、少なくとも１つのプロセッサによって実行された時、コンポーネントをインプリメントするコンピュータ実行命令を格納する。命令の第１のセットは、成功受信に十分なランダムアクセスチャネル（ＲＡＣＨ）プリアンブルの送信上で送信電力制御をコンピュータに行わせる。命令の第２のセットは、成功裏に送信されたＲＡＣＨプリアンブルの少なくとも一部に基づいた物理アップリンク共有チャネル（ＰＵＳＣＨ）上で送信された最初のメッセージのための送信電力制御をコンピュータにセットさせる。
【００１３】
追加の態様では、装置は、ランダムアクセス（ＲＡＣＨ）手順中に最初の物理アップリンク共有チャネル（ＰＵＳＣＨ）メッセージを送信するために提供される。少なくとも１つのコンピュータ可読記憶媒体は、少なくとも１つのプロセッサよって実行された時、コンポーネントをインプリメントするコンピュータ実行命令を格納する。手段は、成功受信に十分なランダムアクセスチャネル（ＲＡＣＨ）プリアンブルの送信上で送信電力制御を行うために提供される。手段は、成功裏に送信されたＲＡＣＨプリアンブルの少なくとも一部に基づいた物理アップリンク共有チャネル（ＰＵＳＣＨ）上で送信された最初のメッセージのための送信電力制御をセットするために提供される。
【００１４】
さらなる態様では、装置は、ランダムアクセス（ＲＡＣＨ）手順中に最初の物理アップリンク共有チャネル（ＰＵＳＣＨ）メッセージを送信するために提供される。送信機は、物理ランダムアクセスチャネル（ＰＲＡＣＨ）および物理アップリンク共有チャネル（ＰＵＳＣＨ）を送信する。媒体アクセス制御（ＭＡＣ）層は、成功受信に十分なランダムアクセスチャネル（ＲＡＣＨ）プリアンブルの送信上で送信電力制御を行う。物理（ＰＨＹ）層は、成功裏に送信されたＲＡＣＨプリアンブルの少なくとも一部に基づいた物理アップリンク共有チャネル（ＰＵＳＣＨ）上で送信された最初のメッセージのための送信電力制御をセットする。
【００１５】
さらにある態様では、方法は、ランダムアクセス（ＲＡＣＨ）手順中に最初の物理アップリンク共有チャネル（ＰＵＳＣＨ）メッセージを受け取るために提供される。ランダムアクセスチャネル（ＲＡＣＨ）プリアンブルが受け取られる。ＲＡＣＨプリアンブルの成功受信が確認される。ＲＡＣＨメッセージは、成功したＲＡＣＨプリアンブル送信に使用された送信電力制御の指示を含んで受け取られる。ランダムアクセスレスポンス（ＲＡＲ）は、成功裏に受信されたＲＡＣＨプリアンブルのための送信電力制御の少なくとも一部に基づいた物理アップリンク共有チャネル（ＰＵＳＣＨ）上で送信された最初のメッセージのための送信電力制御（ＴＰＣ）コマンドを含めて送信される。
【００１６】
さらに別の態様では、コンピュータプログラムプロダクトは、ランダムアクセス（ＲＡＣＨ）手順中に最初の物理アップリンク共有チャネル（ＰＵＳＣＨ）メッセージを受け取るために提供される。少なくとも１つのコンピュータ可読記憶媒体は、少なくとも１つのプロセッサによって実行された時、コンポーネントをインプリメントするコンピュータ実行命令を格納する。命令の第１のセットは、ランダムアクセスチャネル（ＲＡＣＨ）プリアンブルをコンピュータに受け取らせる。命令の第２のセットは、ＲＡＣＨプリアンブルの成功受信をコンピュータに確認させる。命令の第３のセットは、成功したＲＡＣＨプリアンブル送信に使用された送信電力制御の指示を含んでいるＲＡＣＨメッセージをコンピュータに受け取らせる。命令の第４のセットは、成功裏に受信されたＲＡＣＨプリアンブルのための送信電力制御の少なくとも一部に基づいた物理アップリンク共有チャネル（ＰＵＳＣＨ）上で送信された最初のメッセージのための送信電力制御（ＴＰＣ）コマンドを含むランダムアクセスレスポンス（ＲＡＲ）をコンピュータに送信させる。
【００１７】
さらに追加の態様では、装置は、ランダムアクセス（ＲＡＣＨ）手順中に最初の物理アップリンク共有チャネル（ＰＵＳＣＨ）メッセージを受け取るために提供される。少なくとも１つのコンピュータ可読記憶媒体は、少なくとも１つのプロセッサによって実行された時、コンポーネントをインプリメントするコンピュータ実行命令を格納する。手段は、ランダムアクセスチャネル（ＲＡＣＨ）プリアンブルを受け取るために提供される。手段は、ＲＡＣＨプリアンブルの成功受信を確認するために提供される。手段は、成功したＲＡＣＨプリアンブル送信に使用された送信電力制御の指示を含んでいるＲＡＣＨメッセージを受け取るために提供される。手段は、成功裏に受信されたＲＡＣＨプリアンブルのための送信電力制御の少なくとも一部に基づいた物理アップリンク共有チャネル（ＰＵＳＣＨ）上で送信された最初のメッセージのための送信電力制御（ＴＰＣ）コマンドを含むランダムアクセスレスポンス（ＲＡＲ）を送信するために提供される。
【００１８】
さらにさらなる態様では、装置は、ランダムアクセス（ＲＡＣＨ）手順中に最初の物理アップリンク共有チャネル（ＰＵＳＣＨ）メッセージを受け取るために提供される。受信機は、物理ランダムアクセスチャネル（ＰＲＡＣＨ）上のランダムアクセスチャネル（ＲＡＣＨ）プリアンブルを受け取る。送信機は、ＲＡＣＨプリアンブルの成功受信を確認する。受信機は、成功したＲＡＣＨプリアンブル送信に使用された送信電力制御の指示を含んでいるＲＡＣＨメッセージを受け取る。コンピューティングプラットフォームは、送信機によって成功裏に受信されたＲＡＣＨプリアンブルのための送信電力制御の少なくとも一部に基づいた物理アップリンク共有チャネル（ＰＵＳＣＨ）上で送信された最初のメッセージのための送信電力制御（ＴＰＣ）コマンドを含むランダムアクセスレスポンス（ＲＡＲ）を送信する。
【００１９】
上述するおよび関連した分野の達成のために、１つ以上の態様は、以下に完全に記載され、特に請求項に記述された特徴を具備する。次の記述および添付された図面は、ある実例となる態様を詳細に説明し、態様の本質を用いる種々の方法の少しだけを示す。図面と共に考慮された時、他の利点および新規な特徴は、次の詳細な記述から明白になるだろう。また、開示された態様は、そのような態様およびそれらの等価物をすべて含むように意図される。
【図面の簡単な説明】
【００２０】
本開示の特徴、本質および利点は、初めから終わりまで対応する特徴を識別するリファレンスのような図面と共に理解された時、以下に述べられた詳細な記述からより明白になるだろう。
【図１】図１は、ユーザ機器（ＵＥ）が、ＲＡＣＨ手順中に成功裏に受信されたランダムアクセスチャネル（ＲＡＣＨ）プリアンブルの物理アップリンク共有チャネル（ＰＵＳＣＨ）の最初のメッセージの一部の送信電力制御に基づく無線通信システムのメッセージ交換ダイヤグラムを描く。
【図２】図２は、ＲＡＣＨ手順中に最初のＰＵＳＣＨメッセージの送信電力制御のためのオペレーションの方法またはシーケンス用のフローダイヤグラムを描く。
【図３】図３は、ターミナルのポピュレーションでサービスおよび妨害する基地局のブロックダイヤグラムを描く。
【図４】図４は、マルチプルアクセス無線通信システムのブロックダイヤグラムを描く。
【図５】図５は、基地局とターミナルの間の通信システムのブロックダイヤグラムを描く。
【図６】図６は、ネットワークアーキテクチャとプロトコルスタックのブロックダイヤグラムを描く。
【図７】図７は、ランダムアクセス（ＲＡＣＨ）手順中に最初の物理アップリンク共有チャネル（ＰＵＳＣＨ）メッセージを送信するための電気部品の論理グループピングを含んでいるシステム用のブロックダイヤグラムを描く。
【図８】図８は、ランダムアクセス（ＲＡＣＨ）手順中に最初の物理アップリンク共有チャネル（ＰＵＳＣＨ）メッセージのための送信電力制御を命じるための電気部品の論理グループピングを含んでいるシステム用のブロックダイヤグラムを描く。
【図９】図９は、ランダムアクセス（ＲＡＣＨ）手順中に最初の物理アップリンク共有チャネル（ＰＵＳＣＨ）メッセージを送信するための手段を有する装置用のブロックダイヤグラムを描く。
【図１０】図１０は、ランダムアクセス（ＲＡＣＨ）手順中に最初の物理アップリンク共有チャネル（ＰＵＳＣＨ）メッセージのための送信電力制御を命じるための手段を有する装置用のブロックダイヤグラムを描く。
【詳細な説明】
【００２１】
送信電力は、ランダムアクセスチャネル（ＲＡＣＨ）手順中に物理アップリンク共有チャネル（ＰＵＳＣＨ）上の最初のアップリンクデータ送信のために制御される。最初のＰＵＳＣＨ（アップリンクチャネル情報を具備する）送信のための電力制御調整は、成功したＰＲＡＣＨプリアンブル送信に使用された電力スペクトル密度に関連して有利に行われる。アップリンク物理ランダムアクセスチャネル（ＰＲＡＣＨ）は、基地局（ＢＳ）の呼び出し、レジストレーション中などにユーザ機器（ＵＥ）によって送信されるＲＡＣＨ情報を運ぶ。ＰＲＡＣＨは、多数のプリアンブルおよびメッセージ部分の２部からなる。プリアンブルは、プリアンブルの最大数に達する、または、基地局がプリアンブルの受信を確認する、または、ＵＥの最大送信電力に達するまで、セットする電力ステップに従った電力で増大してもよい、一連の送信である。一旦、ＵＥが、ＲＡＣＨメッセージ２の送信またはｅＮＢからのランダムアクセスレスポンス（ＲＡＲ）を通じて確認を受け取れば、それは、ＲＡＣＨのメッセージ部分（メッセージ３）を送信する。送信電力制御（ＴＰＣ）コマンドは、ランダムアクセスレスポンス（ＲＡＲ）で見つけられる。いくつかの態様によれば、ランダムアクセスレスポンスメッセージ中の電力制御コマンドは、ＰＲＡＣＨ送信（Ｔｘ）電力スペクトル密度に関連した違いを示す。これは、ＰＵＳＣＨ送信電力制御の特別な場合である。
【００２２】
種々の態様は、今、図面を参照して記載される。次の記載では、説明の目的のために、多数の特定の詳細は、１つ以上の態様についての十分な理解を提供するために述べられる。それは明白かもしれないが、種々の態様は、これらの特定の詳細なしで実施されてもよい。他のインスタンスでは、よく知られた構造およびデバイスは、これらの態様の記述を容易にするために、ブロックダイヤグラムの形で示される。
【００２３】
図１を参照して、エボルブベースノード（ｅＮＢ）１０４と無線通信するユーザ機器（ＵＥ）１０２の通信システム１００は、物理（ＰＨＹ）層１０８によって、物理アップリンク共有チャネル（ＰＵＳＣＨ）上で送信された最初のメッセージの送信電力制御（ＴＰＣ）の利益を享受するコンテンションに基づいたランダムアクセス（ＲＡＣＨ）手順１０６をサポートする。その目的のために、媒体アクセス制御（ＭＡＣ）１１０は、ランダムアクセスチャネル（ＲＡＣＨ）上のステージ１  １１２中に送信電力制御（ＴＰＣ）を行い、ＰＨＹ１０８を備えた１１４で描かれるようなＴＰＣデータを共有する。
【００２４】
典型的な描写では、ＭＡＣ１１０は、１１７で描かれるような、名目上（nominal）の送信電力レベルで、ＵＥ１０２からｅＮＢ１０４に物理ランダムアクセスチャネル（ＰＲＡＣＨ）上でランダムアクセスプリアンブル（１１６ブロック）を送信することにより、ＴＰＣを行う。この名目上の送信電力レベルは、ＤＬパスロスに基づいてもよい。また、ＵＥ１０２は、物理ランダムアクセスチャネル（ＰＲＡＣＨ）タイミングおよびリソースを示すｅＮＢ１０４およびコンテンション管理パラメータ（例えば、再試行の数など）から、様々なシステム情報ブロック（ＳＩＢ）によって、情報を獲得することができた。ＭＡＣ１１０は、ランダムアクセスプリアンブルが、名目上の送信電力で受け取られず、１１８で描かれるようなセットアップされた送信電力をセットすることを、受信されたランダムアクセスレスポンス（ＲＡＲ）の不足が示すことを決める。ＭＡＣ１１０は、ランダムアクセスプリアンブルを再送信する（ブロック１２０）。ＭＡＣ１１０は、プリアンブル再送信の最大数が生じておらず、受信されたランダムアクセスレスポンス（ＲＡＲ）の不足が、ランダムアクセスプリアンブルがセットアップされた送信電力で受け取られなかったことを示すことを決定する。特に、ＭＡＣ１１０は、最大数に達するまで、ランダムアクセスレスポンスを受け取らないことに応じてセットアップされた送信電力値で、ＲＡＣＨプリアンブルを再送信し続ける。実例となる描写中で、ＭＡＣ１１０は、１２２で描かれるような２回セットアップされた送信電力をセットし、ランダムアクセスプリアンブルを再送信する（ブロック１２４）。
【００２５】
ステージ２  １２６は、ｅＮＢ１０４から成功裏で受信されたＲＡＲ（で生じるブロック１２８）。このＲＡＲ１２８は、ＵＥ１０２のための割り当てられた一時的なＲＮＴＩのような情報を提供することができ、ＵＥ１０２がより多くの機能情報を転送することができるように、アップリンク許可をスケジュールする。送信電力の増加に対応した再送信の数のモニタに基づいて、ＭＡＣ１１０は、成功した最初のＰＵＳＣＨ送信用の共有するためのあるＴＰＣのデータ１１４を獲得する。したがって、ステージ３  １２９で、ＰＨＹ１０８は、成功裏に、１３０で描かれるようなＴＰＣをセットし、ｅＮＢ１０４に送信がスケジューリングされた最初のＰＵＳＣＨを送信する（ブロック１３２）。その後、ｅＮＢ１０４は、ステージ４  １３６としてコンテンション解決メッセージを送信し（ブロック１３４）、ＲＡＣＨ手順１０６を終える。
【００２６】
他の多くの要因が、アドレスされるか接近することができる送信電力の決定にあることが認識されるべきである。有利に、ＴＰＣは、ＰＲＡＣＨ帯域幅（例えば、６ｄＢで固定される）に関連したＰＵＳＣＨ帯域幅、メッセージ３のペイロードサイズ（それらは、ＰＲＡＣＨ受信の感度に関連してＰＵＳＣＨの受信感度に影響を与える）、ＰＲＡＣＨおよびＰＵＳＣＨの間の潜在的ノイズ／干渉変化および他の可能な理由に基づいて調整され、ＰＲＡＣＨの電力スペクトル密度を決定することができる。
【００２７】
ＵＥ１０２中のＭＡＣ層１１０およびＰＨＹ層１０８の間の送信電力制御データの中継の代わりとして（例えば、ローカル保存値）、ＵＥ１０２は、名目上の送信電力ｆ（０）１３８、第１のセットアップされた送信電力ｆ（１）１４０、第２のセットアップされた送信電力ｆ（２）１４２として描かれた、ランダムアクセスプリアンブル１１６、１２０、１２４にＴＰＣのデータを含むことができる。ｅＮＢ１０４は、成功裏に最後のものを受け取り、ＲＡＲ１２８の一部として送信電力制御（ＴＰＣ）コマンド１４４を組み込む。
【００２８】
図２では、オペレーションの方法またはシーケンスは、ランダムアクセス（ＲＡＣＨ）手順中に最初の物理アップリンク共有チャネル（ＰＵＳＣＨ）メッセージを送信するために提供される（２００）。送信電力制御は、媒体アクセス制御（ＭＡＣ）層によって管理された名目上の送信電力値でランダムアクセスチャネル（ＲＡＣＨ）プリアンブルの送信上で行われる（ブロック２０２）。ＰＲＡＣＨ送信のための送信電力制御は、ＲＡＣＨプリアンブル受信の肯定的な指示を受け取らないことに応じて均等な電力ステップで増加することにより行われる（ブロック２０４）。それは、均等な電力ステップの数を制限する最大の送信電力の決定により、相対的な送信電力制御を決定することを要する。別の態様では、既知のやり方で事前に定義されるまたはＵＥとｅＮＢの間で通信されたように、これらの電力ステップは、均等または不等になりえる。ＲＡＣＨプリアンブルは、ステップアップされた送信電力値で再送信される（ブロック２０６）。相対的な送信電力制御は、均等な電力ステップの数の追跡により決定される（ブロック２０８）。ＲＡＣＨプリアンブル受信の肯定的な指示は、受け取られる（ブロック２１０）。ＰＲＡＣＨ上の送信電力の指示は、独立した電力利得制御を含むメッセージデータおよび制御データを含んでいるメッセージ部分の送信によりエンコードされる（ブロック２１２）。指示された送信電力制御は、例えば、ＭＡＣ層にこの指示をエンコードさせることにより達成することができる。ＰＵＳＣＨのための送信電力制御コマンドは、ＲＡＣＨプリアンブルの前の成功した送信のために使用された送信電力からの相対的な電力密度スペクトル変更を具備するランダムアクセスレスポンス（ＲＡＲ）で受け取られる（ブロック２１４）。送信電力制御は、物理アップリンク共有チャネル（ＰＵＳＣＨ）上で送信され、電力スペクトル密度を含む最後の成功裏に送信されたＲＡＣＨプリアンブルに部分的に基づいた送信電力コマンドに従って物理的（ＰＨＹ）層によって管理された最初のメッセージのためにセットされる（ブロック２１６）。調整は、帯域幅差、オフセットまたはＰＵＳＣＨに適用可能でないＲＡＣＨプリアンブルのためのオフセットなどを補うために、ＰＵＳＣＨ送信電力レベルに行われる（ブロック２１８）。例えば、方法は、ＰＲＡＣＨ用の合計電力制御は全体的なパスロス用であり、ＰＵＳＣＨ上の部分的なパスロス用に調整するために、ＰＲＡＣＨとＰＵＳＣＨの異なるメッセージ受信感度／品質要求を表す電力オフセット用に調整するために、ＰＲＡＣＨ送信およびＰＵＳＣＨ送信に見られた異なるノイズ／干渉レベルのための電力オフセット用に調整するために、さらに提供することができる。ここで、相対的な受信感度は、カバレッジ要求のファンクション、目標品質、物理層コーディング、変調、伝送帯域幅である。
【００２９】
したがって、典型的な態様では、ＰＲＡＣＨ電力制御は、ランダムアクセスレスポンスおよび恐らく他の要因で成功したＰＲＡＣＨ送信およびＴＰＣの電力スペクトル密度に関連のある最初のＰＵＳＣＨメッセージの物理層によって、送信電力制御のために利用される。１つの態様では、ランダムアクセスレスポンス（ＲＡＲ）は、（例えば、３または４ビット）の通信制御プロトコル（ＴＰＣ）コマンドを運ぶ。ＴＰＣは、受信されたＰＲＡＣＨ電力スペクトル密度を与えられて、名目上のＰＵＳＣＨ電力スペクトル密度だけについてデルタを提供してもよい。しかしながら、（ＭＡＣによって行われた）ＰＲＡＣＨ電力ランピングにより、ｅＮＢは、ＰＲＡＣＨの実際の送信電力を知ることができず、したがって、名目上のＰＵＳＣＨ電力スペクトル密度についてデルタを提供することができない。６ｄＢ以内のステップアップのＰＲＡＣＨ電力ランプで、そのような電力制御の不確実性は許されないと思われる。代わりに、ＴＰＣは、ランダムアクセスレスポンスで応答されている成功したＰＲＡＣＨ送信の電力スペクトル密度についてデルタを提供する。
【００３０】
例えば、累積的な電力制御送信電力ｆ（０）の始点は、以下のようにセットされる。
【００３１】
ｆ（０）＝ＰＰＲＡＣＨ−１０ｌｏｇ１０（６）−ＰＯ＿ＰＵＳＣＨ（ｊ）＋δＲＡＣＨ＿ＰＵＳＣＨ
ここで、引き算をする１０ｌｏｇ１０（６）は、１ＲＢへ送信電力を標準化する。この値が、１０ｌｏｇ１０（ＭＰＵＳＣＨ（１））によって、後に修正されることに留意する。ＰＲＡＣＨ帯域幅が６ＲＢで固定される間、Ｍ＿ＰＵＳＣＨ（１）によって表されたＰＵＳＣＨ帯域幅が変わってもよいことは、理解されるべきである。最初のＰＵＳＣＨ送信の送信電力制御は、ＰＲＡＣＨのＰＳＤに依存することで、帯域幅差のためにアカウントすることを調整される。 
ＰＰＲＡＣＨは、以下に提供されるように定義される。δＲＡＣＨ＿ＰＵＳＣＨは、ランダムアクセスレスポンスに含まれたＴＰＣコマンドである。したがって、最初のＰＵＳＣＨ送信は、成功したＰＲＡＣＨ送信に関連のある電力を使用するだろう。
【００３２】
ＰＰＵＳＣＨ（１）＝ｍｉｎ｛ＰＭＡＸ，１０ｌｏｇ１０（ＭＰＵＳＣＨ（１））＋α・ＰＬ＋ΔＴＦ（１）＋ＰＰＲＡＣＨ−１０ｌｏｇ１０（６）＋δＲＡＣＨ＿ＰＵＳＣＨ｝
（物理ランダムアクセスチャネル）
ＵＥ動作（behavior）。サブフレームｉの中の物理ランダムアクセスチャネル（ＰＲＡＣＨ）送信のためのＵＥ送信電力ＰＰＲＡＣＨのセッティングは、次のものによって定義される。
【００３３】
ＰＰＲＡＣＨ＝ｍｉｎ｛ＰＭＡＸ，ＰＲＥＡＭＢＬＥ＿ＲＥＣＥＩＶＥＤ＿ＴＡＲＧＥＴ＿ＰＯＷＥＲ−ＰＬ｝  ［ｄＢｍ］
ここで、ＰＭＡＸは、ＵＥ電力クラスに依存する最大許可電力である。 
ＰＲＥＡＭＢＬＥ＿ＲＥＣＥＩＶＥＤ＿ＴＡＲＧＥＴ＿ＰＯＷＥＲは、リクエストの一部として上層によって示される。 
ＰＬは、ＵＥの中で計算されたダウンリンクパスロス予測である。
【００３４】
アップリンク電力制御。アップリンク電力制御は、異なるアップリンク物理チャネルの送信電力を制御する。セルワイドオーバーロードインジケータ（ＯＩ）は、インターセル電力制御用のＸ２に交換される。Ｘ２にさらに交換した指示Ｘは、ｅＮｏｄｅＢスケジューラがセルエッジＵＥに割り当て、インターセル干渉に非常に敏感になるＰＲＢを示す。
【００３５】
（物理アップリンク共有チャネル）
いくつかの態様によるＵＥ動作に関して、サブフレームｉ（ｉ≧１）中の物理アップリンク共有チャネル（ＰＵＳＣＨ）送信のためのＵＥ送信電力ＰＰＵＳＣＨのセッティングは、次のものによって定義される。
【００３６】
ＰＰＵＳＣＨ（ｉ）＝ｍｉｎ｛ＰＭＡＸ，１０ｌｏｇ１０（ＭＰＵＳＣＨ（ｉ））＋ＰＯ＿ＰＵＳＣＨ（ｊ）＋α・ＰＬ＋ΔＴＦ（ｉ）＋ｆ（ｉ）｝  ［ｄＢｍ］
ここで、ＰＭＡＸは、ＵＥ電力クラスに依存する最大許可電力である。
【００３７】
ＭＰＵＳＣＨ（ｉ）は、サブフレームｉに有効なリソースブロックの数で表現されたＰＵＳＣＨリソース割り当てのサイズである。
【００３８】
ＰＯ＿ＰＵＳＣＨ（ｊ）は、１ｄＢの解像度を備えた［−１２６，２４］ｄＢｍの範囲中のｊ＝０および１のための上層から信号が送られた８ビットセルの特定の名目上のコンポーネントＰＯ＿ＮＯＭＩＮＡＬ＿ＰＵＳＣＨ（ｊ）と、１ｄＢの解像度を備えた［−８，７］ｄＢの範囲中のｊ＝０および１のためのＲＲＣによって構成された４ビットＵＥの特定のコンポーネントＰＯ＿ＵＥ＿ＰＵＳＣＨ（ｊ）と、の和からなるパラメータである。設定されたスケジューリングに対応するＰＵＳＣＨ（再）送信については、そのとき、ｊ＝０を許可し、新しいパケット送信に関連したＤＣＩフォーマット０を備えた受信されたＰＤＣＣＨに対応するＰＵＳＣＨ（再）送信については、そのとき、ｊ＝１である。
【００３９】
α∈｛０，０．４，０．５，０．６，０．７，０．８，０．９，１｝は、上層によって提供された３ビットセルの特定のパラメータである。 
ＰＬは、ＵＥで計算されたダウンリンクパスロス予測である。
【００４０】
ΔＴＦ（ｉ）＝１０ｌｏｇ１０（２ＭＰＲ（ｉ）・Ｋｓ−１）（Ｋｓ＝１．２５）および０（Ｋｓ＝０）。ここで、Ｋｓは、ＲＲＣによって与えられたセルの特定のパラメータである。
【００４１】
ＭＰＲ（ｉ）＝ＴＢＳ（ｉ）／ＮＲＥ（ｉ）。ここで、ＴＢＳ（ｉ）は、サブフレームｉのための送信ブロックサイズである。ＮＲＥ（ｉ）は、サブフレームｉのためのＮＲＥ（ｉ）＝２ＭＰＵＳＣＨ（ｉ）・ＮｓｃＲＢ・ＮｓｙｍｂＵＬとして決定されたリソース要素の数である。
【００４２】
δＰＵＳＣＨは、ＵＥの特定の補正値であり、さらにＴＰＣコマンドと呼ばれ、ＤＣＩフォーマット０を備えたＰＤＣＣＨに含まれ、または、ＤＣＩフォーマット３／３Ａを備えたＰＤＣＣＨ中の他のＴＰＣコマンドで共同でコード化される。現在のＰＵＳＣＨ電力制御調整状況は、次のものによって定義されるｆ（ｉ）によって与えられる。
【００４３】
ｆ（ｉ）＝ｆ（ｉ−１）＋δＰＵＳＣＨ（ｉ−ＫＰＵＳＣＨ）（ｉ＞１、ｆ（＊）が累算を表す場合）
ここで、ＫＰＵＳＣＨの値は、次のものから与えられる。ＦＤＤのために、ＫＰＵＳＣＨ＝４。ＴＤＤ  ＵＬ／ＤＬ構成１−６のために、ＫＰＵＳＣＨは以下の表１によって与えられる。ＴＤＤ  ＵＬ／ＤＬ構成０のために、ＫＰＵＳＣＨ＝７。サブフレーム２または７中のＰＵＳＣＨ送信が、ＵＬインデックスの秒ユニットがセットされるＤＣＩフォーマット０のＰＤＣＣＨでスケジュールされる場合、後のものは当てはまる。
【００４４】
他のすべてのＰＵＳＣＨ送信のために、ＫＰＵＳＣＨは、表１で与えられる。ＵＥは、ＤＲＸ中の場合以外は、すべてのサブフレームの中のＤＣＩフォーマット０のＰＤＣＣＨおよびＤＣＩフォーマット３／３ＡのＰＤＣＣＨをデコードすることを試みる。
【００４５】
サブフレーム用のδＰＵＳＣＨ＝０ｄＢ。ここで、ＴＰＣコマンドはデコードされない、または、ＤＲＸが生じる、または、ｉがＴＤＤ中のアップリンクサブフレームでない。
【００４６】
ＤＣＩフォーマット０を備えたＰＤＣＣＨ上で送信された、そのδＰＵＳＣＨ累積値は、［−１、０、１、３］である。
【００４７】
ＤＣＩフォーマット３／３Ａを備えたＰＤＣＣＨ上で送信された、そのδＰＵＳＣＨ累積値は、上層によって構成された半静的（semi-statically）として、［−１、１］または［−１、０、１、３］のうちの１つである。
【００４８】
ＵＥが最大電力に達している場合、肯定的なＴＰＣコマンドは、蓄積されないものとする。
【００４９】
ＵＥが最小電力に達している場合、否定的なＴＰＣコマンドは、蓄積されないものとする。
【００５０】
ＵＥは、（ａ）セル変更で、（ｂ）ＲＲＣアクティブ状態に入る／出る場合、（ｃ）絶対的なＴＰＣコマンドが受け取られる場合、（ｄ）ＰＯ＿ＵＥ＿ＰＵＳＣＨ（ｊ）が受け取られる場合、（ｅ）ＵＥが（再）同期する場合、蓄積をリセットするものとする。
【００５１】
ｆ（ｉ）＝δＰＵＳＣＨ（ｉ−ＫＰＵＳＣＨ）（ｉ＞１、ｆ（＊）が現在の絶対値を表す場合）
ここで、δＰＵＳＣＨ（ｉ−ＫＰＵＳＣＨ）は、サブフレームｉ−ＫＰＵＳＣＨ上のＤＣＩフォーマット０を備えたＰＤＣＣＨ上で送信された。
【００５２】
ＫＰＵＳＣＨの値は、次のものから与えられる。ＦＤＤのために、ＫＰＵＳＣＨ＝４。ＴＤＤ  ＵＬ／ＤＬ構成１−６のために、ＫＰＵＳＣＨは以下の表１によって与えられる。ＴＤＤ  ＵＬ／ＤＬ構成０は、サブフレーム２または７中のＰＵＳＣＨ送信が、ＵＬインデックスの秒ユニットがセットされるＤＣＩフォーマット０のＰＤＣＣＨでスケジュールされるかどうかによって与えられるために、ＫＰＵＳＣＨ＝７。他のすべてのＰＵＳＣＨ送信のために、ＫＰＵＳＣＨは表１で与えられる。
【００５３】
ＤＣＩフォーマット０を備えたＰＤＣＣＨ上で送信された、そのδＰＵＳＣＨｄＢ絶対値は、［４、１、１、４］である。サブフレームのためのｆ（ｉ）＝ｆ（ｉ−１）。ここで、ＤＣＩフォーマット０を備えた非ＰＤＣＣＨがデコードされる、または、ＤＲＸが生じる、または、ｉがＴＤＤ中のアップリンクサブフレームでない。ｆ（＊）タイプ（累積または現在の絶対値）は、ＲＲＣによって与えられるＵＥの特定のパラメータである。ｆ（＊）（累積または現在の絶対値）の両方のタイプのために、最初の値が以下のようにセットされる。
【００５４】
ｆ（１）＝ＰＰＲＡＣＨ−１０ｌｏｇ１０（６）−ＰＯ＿ＰＵＳＣＨ（ｊ）＋δＲＡＣＨ＿ＰＵＳＣＨ
ここで、δＲＡＣＨ＿ＰＵＳＣＨは、ランダムアクセスレスポンスで示されたＴＰＣコマンドである。
【表１】
2014042276.tif 000003
【００５５】
電力ヘッドルーム。サブフレームｉに有効なＵＥ電力ヘッドルームＰＨは、次のものによって定義される。
【００５６】
ＰＨ（ｉ）＝ＰＭＡＸ−｛１０ｌｏｇ１０（ＭＰＵＳＣＨ（ｉ））＋ＰＯ＿ＰＵＳＣＨ（ｊ）＋α・ＰＬ＋ΔＴＦ（ＴＦ（ｉ））＋ｆ（ｉ）｝  ［ｄＢ］
ここで、ＰＭＡＸ、ＭＰＵＳＣＨ（ｉ）、ＰＯ＿ＰＵＳＣＨ（ｊ）、α、ＰＬ、ΔＴＦ（ＴＦ（ｉ））、ｆ（ｉ）は、当業者に知られている。電力ヘッドルームは、１ｄＢのステップを備えた［４０；−２３］ｄＢ範囲で最も接近している値にラウンドすることができ、物理層によって上層に送られる。
【００５７】
図３の中で示される例で、基地局３１０ａ、３１０ｂおよび３１０ｃは、それぞれ、マクロセル３０２ａ、３０２ｂおよび３０２ｃのためのマクロ基地局でもよい。基地局３１０ｘは、ターミナル３２０ｘと通信するピコセル３０２ｘのためのピコ基地局でもよい。基地局３１０ｙは、ターミナル３２０ｙと通信するフェムトセル３０２ｙのためのフェムト基地局でもよい。簡略化のために図３の中で示されなかったが、マクロセルは、エッジで重なってもよい。ピコおよびフェムトセルは、（図３の中で示されたように）マクロセル内に位置されてもよい、または、マクロセルおよび／または他のセルと重なってもよい。
【００５８】
ワイヤレスネットワーク３００は、さらに中継局（例えば、ターミナル３２０ｚと通信する中継局３１０ｚ）を含んでいてもよい。中継局は、アップストリームステーションからデータ伝送および／または他の情報を受け取り、ダウンストリームステーションへデータの送信および／または他の情報を送るステーションである。アップストリームステーションは、基地局、別の中継局またはターミナルでもよい。ダウンストリームのステーションは、ターミナル、別の中継局または基地局でもよい。中継局は、さらに他のターミナルのための送信を中継するターミナルでもよい。中継局は、低い再使用プリアンブルを送信しおよび／または受け取ってもよい。例えば、中継局は、ピコ基地局として同様の方法で低い再使用プリアンブルを送信してもよいし、ターミナルとして同様の方法で低い再使用プリアンブルを受け取ってもよい。
【００５９】
ネットワークまたはシステムコントローラ３３０は、１組の基地局へ連結されて、これらの基地局に協調と制御を供給してもよい。ネットワークコントローラ３３０は、単一ネットワークエンティティまたはネットワークエンティティの集まりでもよい。ネットワークコントローラ３３０は、バックホールによって基地局３１０ａ−３１０ｃで通信してもよい。バックホールネットワーク通信３３４は、そのような分散型設計を使用する基地局３１０ａ−３１０ｃ間のポイントツーポイント通信を促進することができる。基地局３１０ａ−３１０ｃは、例えば、ワイヤレスまたはワイヤラインバックホールによって直接または間接的に、さらに互いに伝達してもよい。
【００６０】
ワイヤレスネットワーク３００は、マクロ基地局だけ（図３の中で示されない）を含んでいる同種ネットワークでもよい。ワイヤレスネットワーク３００は、さらに、例えば、マクロ基地局、ピコ基地局、ホーム基地局、中継局など、異なるタイプの基地局を含んでいる異種ネットワークでもよい。基地局のこれらの異なるタイプは、ワイヤレスネットワーク３００の中に異なる送信電力レベル、異なるカバレージエリアおよび干渉上の異なる影響を有していてもよい。例えば、マクロ基地局は、高い送信電力レベル（例えば、２０ワット）があってもよいが、ピコおよびフェムト基地局は、低い送信電力レベル（例えば、３ワット）があってもよい。ここに記述された技術は、同種および異種ネットワークに使用されてもよい。
【００６１】
ターミナル３２０は、ワイヤレスネットワーク３００の全体にわたって分散してもよい。また、各ターミナルは、固定または移動でもよい。ターミナルも、アクセスターミナル（ＡＴ）、移動局（ＭＳ）、ユーザ機器（ＵＥ）、加入者ユニット、ステーションなどと呼ばれてもよい。ターミナルは、携帯電話、携帯情報端末（ＰＤＡ）、無線モデム、ワイヤレス通信デバイス、ハンドヘルドデバイス、ラップトップコンピュータ、コードレス電話機、ワイヤレスローカルループ（ＷＬＬ）ステーションなどでもよい。ターミナルは、ダウンリンクとアップリンクによって基地局で通信してもよい。ダウンリンク（またはフォワードリンク）は、基地局からターミナルへの通信リンクを指す。また、アップリンク（またはリバースリンク）は、ターミナルから基地局への通信リンクを指す。
【００６２】
ターミナルは、マクロ基地局、ピコ基地局、フェムト基地局および／または他のタイプの基地局で通信することができてもよい。図３の中で、二重矢を備えた実線は、ターミナルとサービング基地局と間の希望送信を示す。それは、ダウンリンクおよび／またはアップリンク上でターミナルに役立つように選定された基地局である。二重矢を備えた破線は、ターミナルと基地局との間の妨害送信を示す。妨害基地局は、ダウンリンク上のターミナルへの妨害を引き起こすおよび／またはアップリンク上のターミナルからの妨害を観察する基地局である。
【００６３】
ワイヤレスネットワーク３００は、同期または非同期オペレーションをサポートしてもよい。同期オペレーションについては、基地局は、同じフレームタイミングを持っていてもよい。また、異なる基地局からの送信は、時間内にアラインしてもよい。非同期オペレーションについては、基地局は、異なるフレームタイミングを持っていてもよい。また、異なる基地局からの送信は、時間内にアラインしないでもよい。非同期オペレーションは、ピコおよびフェムト基地局にはより共通してもよい。それは、屋内で配置されてもよく、全地球測位システム（ＧＰＳ）のような同期ソースにアクセスしないでもよい。
【００６４】
１つの態様では、システムキャパシティを改善するために、それぞれの基地局３１０ａ−３１０ｃに対応するカバレージエリア３０２ａ、３０２ｂまたは３０２ｃは、マルチプルスモールエリア（例えば、エリア３０４ａ、３０４ｂおよび３０４ｃ）へ分割されてもよい。それぞれのベーストランシーバサブシステム（ＢＴＳ（示されない））は、スモールエリア３０４ａ、３０４ｂおよび３０４ｃの各々に役立つことができる。技術の中でここに一般に使用されるように、用語「セクタ」は、ＢＴＳおよび／または用語が使用されるコンテキストに依存するそのカバレージエリアを指すことができる。一例では、セル３０２ａの中のセクタ３０４ａ、３０４ｂ、３０４ｃ、３０２ｂ、３０２ｃは、基地局３１０ａでグループのアンテナ（示されない）によって形成することができる。ここで、アンテナの各グループは、セル３０２ａ、３０２ｂまたは３０２ｃの一部中のターミナル３２０との通信に関与する。例えば、セル３０２ａをサービングする基地局３１０ａは、セクタ３０４ａに対応する第一のアンテナグループ、セクタ３０４ｂに対応する第２のアンテナグループ、およびセクタ３０４ｃに対応する第３のアンテナグループを有する。しかしながら、セクタライズされおよび／または非セクタライズされたセル（ectorized and/or unsectorized cell）を有するシステム中で、ここに示された種々の態様が使用できることを認識されるべきである。さらに、セクタライズされおよび／または非セクタライズされたセルのどんな数も有するすべての適切な無線通信ネットワークが、ここに添付された請求項の範囲以内にあるように意図されることは認識されるべきである。簡単にするために、ここに使用されるような用語「基地局」は、セルに役立つステーションもセクタに役立つステーションも両方を指すことができる。ここに使用されるように、ディスジョイントリンクシナリオ中のダウンリンクセクタが隣接セクタであることが認識されるべきである。次の記述は、一般に、簡単のためのサービングアクセスポイントの一つを備えた各ターミナル通信のシステムに関係があるが、ターミナルがサービングアクセスポイントの任意の数で通信することができることが認識されるべきである。
【００６５】
図４を参照して、１つの態様によるマルチプルアクセス無線通信システムが例証される。アクセスポイント（ＡＰ）４００は、多数のアンテナグループ（１つは、４０４と４０６を含んでいる、別のものは、４０８と４１０を含んでいる、さらに追加のものは、４１２と４１４を含んでいる）を含んでいる。図４の中で、２本のみのアンテナが、各アンテナグループについて示される。しかし、より多くまたはより少数のアンテナが、各アンテナグループのために利用されてもよい。アクセスターミナル（ＡＴ）４１６は、アンテナ４１２および４１４との通信である。ここで、アンテナ４１２と４１４は、フォワードリンク４２０上のアクセスターミナル４１６へ情報を送信し、リバースリンク４１８上のアクセスターミナル４１６から情報を得る。アクセスターミナル４２２は、アンテナ４０６および４０８との通信である。ここで、アンテナ４０６と４０８は、フォワードリンク４２６上のアクセスターミナル４２２へ情報を送信し、リバースリンク４２４上のアクセスターミナル４２２から情報を得る。ＦＤＤシステムでは、通信リンク４１８、４２０、４２４および４２６は、異なる周波数を通信に使用してもよい。例えば、リバースリンク４１８によって使用したフォワードリンク４２０は、そのとき異なる周波数を使用してもよい。
【００６６】
アンテナおよび／またはそれらが通信するように設計されたエリアの各グループは、アクセスポイントのセクタとしてよく呼ばれる。態様では、アクセスポイント４００によってカバーされたエリアのアンテナグループの各々は、セクタのアクセスターミナルへ通信するように設計されている。
【００６７】
フォワードリンク４２０および４２６に関する通信では、アクセスポイント４００の送受信アンテナは、異なるアクセスターミナル４１６および４２２のためのフォワードリンクの信号対ノイズ比を改善するためにビームフォーミングを利用する。さらに、そのカバレッジによって不規則に分散したアクセスターミナルへ送信するためにビームフォーミングを使用するアクセスポイントは、そのアクセスターミナルのすべてへ単一のアンテナを通して送信するアクセスポイントより近隣のセルのアクセスターミナルへより少ない妨害を引き起こす。
【００６８】
アクセスポイントは、ターミナルと通信するために使用された固定局でもよいし、アクセスポイント、ノードＢまたは他のある専門用語で呼ばれてもよい。アクセスターミナルも、ユーザ機器（ＵＥ）、ワイヤレス通信デバイス、ターミナルまたは他のある専門用語で呼ばれてもよい。
【００６９】
図５は、基地局５０２とターミナル５０４の間の通信システム５００のデザインのブロックダイヤグラムを示す。それは、基地局のうちの１つおよび図１の中のターミナルのうちの１つでもよい。基地局５０２は、５３４ｔによってＴＸアンテナ５３４ａを装備していてもよい。また、ターミナル５０４は、５５２ｒによってＲＸアンテナ５５２ａを装備していてもよい。ここで、一般に、Ｔ≧１およびＲ≧１である。
【００７０】
基地局５０２では、送信プロセッサ５２０は、データ送信端末５１２からトラフィックデータを受け取り、コントローラ／プロセッサ５４０からメッセージを受け取ってもよい。送信プロセッサ５２０は、ラフィックデータとメッセージを処理（例えば、エンコード、インターリービングおよび変調）してもよく、データシンボルと制御シンボルをそれぞれ提供する。送信プロセッサ５２０は、さらに、低い再使用プリアンブル用のパイロットシンボルおよびデータシンボルと、他のパイロットおよび／または基準信号用のパイロットシンボルとを生成してもよい。送信（ＴＸ）マルチプルインプットマルチプルアウトプット（ＭＩＭＯ）プロセッサ５３０は、適用可能な場合、データシンボル、制御シンボルおよび／またはパイロットシンボル上の空間処理（例えば、プレコーディング）を行ってもよく、５３２ｔによってＴ変調器（ＭＯＤ）５３２ａにＴ出力シンボルストリームを供給してもよい。各変調器５３２は、出力サンプルストリームを得るために、各出力シンボルストリーム（例えば、ＯＦＤＭ、ＳＣ−ＦＤＭ用など）を処理してもよい。各変調器５３２は、ダウンリンク信号を得るために、出力サンプルストリームをさらに処理（例えば、アナログへ変換、増幅、フィルタ、アップコンバート）してもよい。変調器５３２ａから５３２ｔまでのＴダウンリンク信号は、５３４ｔを通してＴアンテナ５３４ａによってそれぞれ送信されてもよい。
【００７１】
ターミナル５０４では、５５２ｒによるアンテナ５５２ａは、それぞれ、基地局５０２からダウンリンク信号を受け取ってもよいし、５５４ｒによって復調器（ＤＥＭＯＤ）５５４ａに受信信号を供給してもよい。復調器５５４は、入力サンプルを得るために、それぞれの受信信号を調整（例えば、フィルタ、増幅、ダウンコンバート、ディジタル化）してもよい。各復調器５５４は、受信シンボルを得るために、さらに入力サンプル（例えば、ＯＦＤＭ、ＳＣ−ＦＤＭ用など）を処理してもよい。ＭＩＭＯ検出器５５６は、すべてのＲ復調器５５４ａから５５４ｒまで受信シンボルを得て、適用可能な場合は受信シンボル上でＭＩＭＯ検出を行い、検知されたシンボルを提供してもよい。受信プロセッサ５５８は、検知されたシンボルを処理（例えば、復調、非インターリーブ、デコード）してもよく、データ受信端末５６０へターミナル５０４のためのデコードされたトラフィックデータを提供し、コントローラ／プロセッサ５８０へデコードされたメッセージを提供する。低い再使用プリアンブル（ＬＲＰ）プロセッサ５８４は、基地局から低い再使用プリアンブルを検知し、コントローラ／プロセッサ５８０へ検知された基地局またはセルに情報を提供してもよい。
【００７２】
アップリンクにおいては、ターミナル５０４では、送信プロセッサ５６４は、データ送信端末５６２からのトラフィックデータおよびコントローラ／プロセッサ５８０からのメッセージを受け取り処理してもよい。送信プロセッサ５６４からのシンボルは、適用可能な場合はＴＸ  ＭＩＭＯプロセッサ５６８によってあらかじめコード化され、さらに、５５４ｒによる変調器５５４ａによって処理され、基地局５０２へ送信されてもよい。基地局５０２では、ターミナル５０４からのアップリンク信号は、アンテナ５３４によって受け取られ、復調器５３２によって処理され、適用可能な場合はＭＩＭＯ検出器５３６によって検知され、さらに、データ受信端末５３９へ提供するためのターミナル５０４によって送信された、デコードされたパケットおよびメッセージを得るために、受信データプロセッサ５３８によって処理されてもよい。
【００７３】
コントローラ／プロセッサ５４０および５８０は、基地局５０２およびターミナル５０４でオペレーションをそれぞれ指示してもよい。プロセッサ５４０および／または基地局５０２での他のプロセッサおよびモジュールは、ここに記述した技術のために行うまたは直接行ってもよい。プロセッサ５８４および／またはターミナル５０４での他のプロセッサおよびモジュールは、ここに記述した技術のために行うまたは直接行ってもよい。メモリ５４２および５８２は、基地局５０２およびターミナル５０４のためのデータとプログラムコードをそれぞれ格納してもよい。スケジューラ５４４は、ダウンリンクおよび／またはアップリンク上のデータ伝送のためのターミナルをスケジュールしてもよいし、スケジュールされたターミナルのためのリソース許可を提供してもよい。
【００７４】
図６の中で、ワイヤレスネットワーク６００は、ユーザ機器（ＵＥ）６０２、エボルブベースノード（ｅＮＢ）６０４およびモビリティ管理エンティティ（ＭＭＥ）６０６で描かれる。ラジオインタフェースプロトコルアーキテクチャ６０８は、３ＧＰＰラジオアクセスネットワーク基準によって提供することができる。トランシーバ６１０を利用するラジオインタフェースプロトコル６０８は、物理（ＰＨＹ）層６１２、データリンク層６１４およびネットワーク層６１６を含む水平層を有しており、ユーザデータを送信するためのユーザプレーン（Ｕ−プレーン）６１８および制御情報を送信するための制御プレーン（Ｃ−プレーン）６２０を含むプレーンがある。ユーザプレーン６１８は、音声またはインターネットプロトコル（ＩＰ）のパケットのような、ユーザとトラフィック情報を扱う領域である。制御プレーン６２０は、ネットワーク、呼び出しのメンテナンスおよび管理とのインターフェースのための制御情報などを扱う領域である。
【００７５】
プロトコル層１（Ｌ１）６１２、すなわち、物理層（ＰＨＹ）は、物理チャネル６２２経由でトランシーバ６１０と下方へ通信する。物理層６１２は、種々のラジオ送信技術の使用によって、上層に情報転送サービスを提供するために、トランスポートチャネル６２６経由で、層２（Ｌ２）６１４の媒体アクセス制御（ＭＡＣ）層６２４と呼ばれる上層に接続される。第２の層（Ｌ２）６１４は、さらに、ラジオリンク制御（ＲＬＣ）層６２８、ブロードキャスト／マルチキャスト制御（ＢＭＣ）層（示されない）およびパケットデータコンバージェンスプロトコル（ＰＤＣＰ）層６３０を含んでいる。ＭＡＣ層６２４は、論理チャネル６３２とトランスポートチャネル６２６の間のマッピングを扱い、アロケーション用のＭＡＣパラメータのアロケーションおよびラジオリソースの再アロケーションを提供する。ＭＡＣ層６２４は、論理チャネル６３２によって、ラジオリンク制御（ＲＬＣ）層６２８と呼ばれる上層に接続される。様々な論理チャネルは、送信された情報のタイプによって提供される。ＭＡＣ層６２４は、トランスポートチャネル６２６によって物理層６１２に接続され、サブ層に分割されることができ、特にアップリンクランダムアクセスチャネル（ＲＡＣＨ）でサポートすることができる。
【００７６】
オペレーションのＲＬＣモードに依存するＲＬＣ層６２８は、信頼できるデータ伝送をサポートし、上層から伝達された多くのＲＬＣサービスデータユニット（ＳＤＵ）上で分割と連結を行う。ＲＬＣ層６２８が上層からＲＬＣ  ＳＤＵを受け取る場合、ＲＬＣ層は、処理キャパシティに基づいた適切なやり方で各ＲＬＣ  ＳＤＵのサイズを調整し、その後、ヘッダー情報をそれに加えることによりデータユニットを作成する。プロトコルデータユニット（ＰＤＵ）と呼ばれるデータユニットは、論理チャネル６３２によってＭＡＣ層６２４に転送される。ＲＬＣ層６２８は、ＲＬＣ  ＳＤＵおよび／またはＲＬＣ  ＰＤＵの格納のためのＲＬＣバッファ（示されない）を含んでいる。
【００７７】
ＰＤＣＰ層６３０は、ＲＬＣ層６２８の上に位置する。ＰＤＣＰ層６３０は、比較的小さな帯域幅を備えたラジオインタフェース上で、ＩＰｖ４またはＩＰｖ６のようなネットワークプロトコルデータを、効率的に送信するために使用される。この目的のために、ＰＤＣＰ層６３０は、有線ネットワークの中で使用される不必要な制御情報を縮小し、すなわち、ヘッダー圧縮と呼ばれる機能が行われる。いくつかのプロトコルでは、暗号化およびローバストヘッダー圧縮（ＲｏＨＣ）のようなセキュリティ特徴は、ＰＤＣＰ層６３０によって行われる。
【００７８】
第３の層（Ｌ３）６１６の最下部にあるラジオリソース制御（ＲＲＣ）層６３４は、単に制御プレーン６２０に定義される。ＲＲＣ層６３４は、セットアップ、再コンフィギュレーション、およびラジオベアラー（ＲＢ）のリリースまたは取り消しに関して、トランスポートチャネル６２６および物理チャネル６２２を制御する。ＲＢは、ＭＭＥ６０６によって表された、ターミナルとエボルブユニバーサルモービル電気通信システムテレストリアルラジオアクセスネットワーク（Evolved Universal Mobile Telecommunications System Terrestrial Radio Access Network）（Ｅ−ＵＴＲＡＮ）の間のデータ通信のために、第２の層（Ｌ２）６１４によって提供されたサービスを示す。一般に、ＲＢのセットアップは、特定のデータサービスの提供、それぞれの詳細なパラメータおよびオペレーション方法のセットのために必要なプロトコル層とチャネルの特性を規定するプロセスに言及する。さらに、ＲＲＣ層６３４は、ＲＡＮ内のユーザモビリティ、追加サービス、例えば、ロケーションサービスを扱う。ＲＲＣ層６３４は、物理層から制御／測定６３５を受け取る。さらに、制御プレーン６２０では、ＵＥ６０２およびＭＭＥ６０６は、非アクセスストレイタム（ＮＡＳ）６３６を含んでいる。
【００７９】
図７を参照して、ランダムアクセス（ＲＡＣＨ）手順中に最初の物理アップリンク共有チャネル（ＰＵＳＣＨ）メッセージを送信するためのシステム７００が例証される。例えば、システム７００は、ユーザ機器（ＵＥ）内に少なくとも部分的に存在することができる。機能ブロックを含むとしてシステム７００が表されることが認識されることになっている。それらは、プロセッサ、コンピュータ、コンピュータプログラムプロダクト、命令のセット、コンピューティングプラットフォーム、プロセッサ、ソフトウェアまたはそれらの組合せ（例えば、ファームウェア）の少なくとも１つによって、インプリメントされた機能を表す機能ブロックである。システム７００は、連結中で動作することができる電気部品の論理グルーピング７０２を含んでいる。例えば、論理グルーピング７０２は、成功した受信のための十分なランダムアクセスチャネル（ＲＡＣＨ）プリアンブルの送信上で送信電力制御を行うための電気部品７０４を含むことができる。さらに、論理グルーピング７０２は、ランダムアクセスレスポンスを受け取るための電気部品７０６を含むことができる。さらに、論理グルーピング７０２は、成功裏に送信されたＲＡＣＨプリアンブルの少なくとも一部に基づいた物理アップリンク共有チャネル（ＰＵＳＣＨ）上で送信された最初のメッセージのための送信電力制御をセットするため電気部品７０８を含んでいてもよい。さらに、システム７００は、電気部品７０４−７０８に関連した機能を実行するための命令を保存するメモリ７２０を含むことができる。電気部品７０４−７０８は、メモリ７２０の外側にあることとして示されたが、メモリ７２０内に存在することができるが理解されることになっている。
【００８０】
図８を参照して、ランダムアクセス（ＲＡＣＨ）手順中に最初の物理アップリンク共有チャネル（ＰＵＳＣＨ）メッセージを受け取るためのシステム８００が例証される。例えば、システム８００は、基地局内に少なくとも部分的に存在することができる。機能ブロックを含むとしてシステム８００が表されることが認識されることになっている。それらは、コンピューティングプラットフォーム、プロセッサ、ソフトウェアまたはそれらの組合せ（例えば、ファームウェア）によってインプリメントされた機能を表す機能ブロックである。システム８００は、連結中で動作することができる電気部品の論理グルーピング８０２を含んでいる。例えば、論理グルーピング８０２は、ランダムアクセスチャネル（ＲＡＣＨ）プリアンブルを受け取るための電気部品８０４を含むことができる。さらに、論理グルーピング８０２は、ＲＡＣＨプリアンブルの成功した受信を確認するための電気部品８０６を含むことができる。さらに、論理グルーピング８０２は、成功したＲＡＣＨプリアンブル送信のために使用された送信電力制御の指示を含んでいるＲＡＣＨメッセージを受け取るために電気部品８０８を含んでいてもよい。論理グルーピング８０２は、受信されたＲＡＣＨプリアンブルのための送信電力制御の少なくとも一部に基づいた物理アップリンク共有チャネル（ＰＵＳＣＨ）上で送信された最初のメッセージのための送信電力制御（ＴＰＣ）コマンドを含むランダムアクセスレスポンス（ＲＡＲ）の送信のための電気部品８１０を含んでいてもよい。さらに、システム８００は、電気部品８０４−８１０に関連した機能を実行するための命令を保存するメモリ８２０を含むことができる。電気部品８０４−８１０は、メモリ８２０の外側にあることとして示されたが、メモリ８２０内に存在することができることが理解されることになっている。
【００８１】
図９を参照して、装置９０２は、ランダムアクセス（ＲＡＣＨ）手順中に最初の物理アップリンク共有チャネル（ＰＵＳＣＨ）メッセージを送信するために提供される。手段９０４は、成功受信に十分なランダムアクセスチャネル（ＲＡＣＨ）プリアンブルの送信上で送信電力制御を行うために提供される。手段９０６は、ランダムアクセスレスポンスを受け取るために提供される。手段９０８は、成功裏に送信されたＲＡＣＨプリアンブルの少なくとも一部に基づいた物理アップリンク共有チャネル（ＰＵＳＣＨ）上で送信された最初のメッセージのための送信電力制御をセットするために提供される。
【００８２】
図１０を参照して、装置１００２は、ランダムアクセス（ＲＡＣＨ）手順中に最初の物理アップリンク共有チャネル（ＰＵＳＣＨ）メッセージを受け取るために提供される。手段１００４は、ランダムアクセスチャネル（ＲＡＣＨ）プリアンブルを受け取るために提供される。手段１００６は、ＲＡＣＨプリアンブルの成功受信を確認するために提供される。手段１００８は、成功したＲＡＣＨプリアンブル送信に使用された送信電力制御の指示を含んでいるＲＡＣＨメッセージを受け取るために提供される。手段１０１０は、成功裏に受信されたＲＡＣＨプリアンブルのための送信電力制御の少なくとも一部に基づいた物理アップリンク共有チャネル（ＰＵＳＣＨ）上で送信された最初のメッセージのための送信電力制御（ＴＰＣ）コマンドを含むランダムアクセスレスポンス（ＲＡＲ）を送信するために提供される。
【００８３】
これらの当業者は、情報と信号が様々な異なる技術および技法のうちのどれでも使用して表されてもよいと理解するだろう。例えば、上記の記述の全体にわたって参照されてもよいデータ、命令、コマンド、情報、信号、ビット、シンボルおよびチップは、電圧、電流、電磁波、磁場または粒子、光学場または粒子、またはそれらの任意の組合せによって表されてもよい。
【００８４】
これらの当業者は、ここに示された実施形態を参照して記述された様々な実例となる論理ブロック、モジュール、回路およびアルゴリズムステップが、電子ハードウェア、コンピュータソフトウェアまたは両方の組合せとしてインプリメントされてもよいことを、さらに認識するだろう。ハードウェアとソフトウェアのこの互換性を明白に例証するために、様々な実例となるコンポーネント、ブロック、モジュール、回路およびステップは、それらの機能の点から一般に上述された。そのような機能がインプリメントされようとなかろうと、ハードウェアまたはソフトウェアが全体的なシステムで課された特定のアプリケーションと設計条件に依存する。熟練した職人は、各特定のアプリケーションの方法を変える際に記述された機能をインプリメントしてもよい。しかし、そのようなインプリメンテーションの決定は、現在の開示の範囲から逸脱することは解釈されるべきでない。
【００８５】
この出願の中で使用されたように、用語「コンポーネント」、「モジュール」、「システム」などは、コンピュータ関連のエンティティ、ハードウェア、ハードウェアとソフトウェアの組み合わせ、ソフトウェア、または実行されているソフトウェアのいずれかを参照するように意図される。例えば、コンポーネントは、制限されず、プロセッサ上で動作するプロセス、プロセッサ、オブジェクト、実行可能、実行のスレッド、プログラムをよび／またはコンピュータでもよい。実例のために、サーバ上で動作するアプリケーションとサーバの両方は、コンポーネントになりえる。１つ以上のコンポーネントは、プロセスおよび／または実行のスレッド内に存在してもよい。また、コンポーネントは、１つのコンピュータに集中され、および／または、２つ以上のコンピュータ間で分割されてもよい。
【００８６】
「典型的である」というワードは、例、インスタンスまたは実例として役立つことを意味するためにここに使用される。「典型的である」とここに記述されたどんな態様または設計は、他の態様または設計よりも好むまたは有利であると解釈する必要はない。
【００８７】
種々の態様は、多くのコンポーネント、モジュールなどを含んでいてもよいシステムに関して示されるだろう。様々なシステムが、追加のコンポーネント、モジュールなどを含むでもよいこと、および／または、図を参照して論じられたコンポーネント、モジュールなどのすべてを含んでいることはないことは、理解および認識される。これらのアプローチの組合せも使用されてもよい。ここに示された種々の態様は、タッチスクリーンディスプレイ技術および／またはマウスとキーボードタイプインターフェースを利用するデバイスを含む電気デバイス上で行うことができる。そのようなデバイスの例は、コンピュータ（デスクトップとモバイル）、スマートフォン、携帯情報端末（ＰＤＡ）、および無線及び有線の両方の他の電子デバイスを含んでいる。
【００８８】
さらに、ここに示された実施形態に関して記述された様々な実例となる論理ブロック、モジュール、ＡＮＤ回路は、メインプロセッサ、デジタルシグナルプロセッサ（ＤＳＰ）、特定用途向けＩＣ（ＡＳＩＣ）、フィールドプログラマブルゲートアレイ（ＦＰＧＡ）または他のプログラマブルロジックデバイス、ディスクリートゲートまたはトランジスタロジック、ディスクリートハードウェアコンポーネント、またはここに記述された機能を行うために設計されたそれらの任意の組合せで、インプリメントまたは行われてもよい。メインプロセッサは、マイクロプロセッサでもよい。しかし、代案では、プロセッサは、任意の従来のプロセッサ、コントローラ、マイクロコントローラまたはステートマシンでもよい。プロセッサは、計算装置の組合せ、例えば、ＤＳＰとマイクロプロセッサ、多くのマイクロプロセッサ、ＤＳＰコアと連動する１個以上のマイクロプロセッサまたは他のそのような構成の組合せ、としてインプリメントされてもよい。
【００８９】
さらに、１つ以上のバージョンは、ソフトウェア、ファームウェア、ハードウェア、または開示された態様をインプリメントするコンピュータを制御するためのそれらの任意の組合せを実現するための標準プログラミングおよび／またはエンジニアリング技術を使用して、方法、装置、または製造物がインプリメントされてもよい。ここに使用されるような用語「製造物（article of manufacture）」（または代案として「コンピュータプログラムプロダクト」）は、任意のコンピュータ可読デバイス、キャリヤまたは媒体からアクセス可能なコンピュータプログラムを包含するように意図される。例えば、コンピュータ読取り可能な媒体は、限定されないが、磁気記憶デバイス（例えば、ハードディスク、フロッピー（登録商標）ディスク、磁気帯…）光ディスク（例えば、コンパクトディスク（ＣＤ）、ディジタル汎用のディスク（ＤＶＤ）…）、スマートカードおよびフラッシュメモリデバイス（例えば、カード、スティック）を含むことができる。さらに、電子メールを送受信するまたはインターネットまたはローカルエリアネットワーク（ＬＡＮ）のようなネットワークにアクセスするのに使用されるもののような、コンピュータ可読電子データを運ぶために搬送波を使用することができることは、認識されるべきである。もちろん、当業者は、開示された態様の範囲から逸脱せずに、多くの変更がこの構成になされてもよいことを認識するだろう。
【００９０】
ここに示された実施形態に関して記述された方法またはアルゴリズムのステップは、ハードウェア、プロセッサによって実行されたソフトウェアモジュール、または２つの組合せで直接具体化されてもよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取外し可能ディスク、ＣＤ−ＲＯＭまたは技術で既知の記憶媒体の他の形式に存在してもよい。典型的な記憶媒体は、プロセッサが記憶媒体から情報を読み出し、記憶媒体に情報を書き込むことができるように、プロセッサにつながれる。代案では、記憶媒体は、プロセッサに集積されてもよい。プロセッサと記憶媒体は、ＡＳＩＣに存在してもよい。ＡＳＩＣは、ユーザ端末に存在してもよい。代案では、プロセッサと記憶媒体は、ユーザ端末の個別部品として存在してもよい。
【００９１】
開示された実施形態の前の記述は、どんな当業者も現開示を作るまたは使用することを可能にするために提供される。これらの実施形態への様々な変更は、当業者に容易に明白になる。また、ここに定義された総括的な法則は、開示の精神か範囲から逸脱せずに、他の実施形態に適用されるでもよい。したがって、現開示は、ここに示された実施形態に制限されるようには意図されないが、ここに示された法則と新規な特徴と一致する最も広い範囲を与えられることになっている。
【００９２】
以前に記述された典型的なシステムを考慮して、示された主題に従ってインプリメントされることのできる方法は、いくつかのフローダイヤグラムを参照して記述された。説明を簡略化する目的のため、方法は、一連のブロックとして示され記述される。いくつかのブロックは、異なる順番でおよび／またはここに描かれ記述されたものからの他のブロックと同時に生じてもよいので、要求された主題がブロックの順番に制限されないことを理解および認識されることになっている。さらに、すべての例証されたブロックは、ここに記述された方法をインプリメントするために要求されるとは限らない。さらに、コンピュータにそのような方法を送り転送することを促進するために、ここに示された方法が製造物に格納されることができることはさらに認識されるべきである。ここに使用された用語製造物は、任意のコンピュータ可読デバイス、キャリヤまたは媒体からアクセス可能なコンピュータプログラムを包含するように意図される。
【００９３】
参照によってここに組み込まれると言われている任意の特許、広報または他の開示マテリアルの全体または一部が、既存の定義、ステートメントまたはこの開示で述べられた他の開示マテリアルと組み込まれたマテリアルが矛盾しない程度までここに組込まれることは認識されるべきである。そのため、必要な範囲で、明示的にここに述べられるような開示は、参照によってここに組み込まれたどんな矛盾するマテリアルにも優先する。参照によってここに組込まれると言われているが、ここに述べられた既存の定義、ステートメントまたは他の開示マテリアルと矛盾がある任意のマテリアルまたはそれの一部は、その組み込んだマテリアルと既存の開示マテリアルの間に矛盾が発生しない程度まで単に組み入れられるだろう。
【図１】
2014042276.tif 000004
【図２】
2014042276.tif 000005
【図３】
2014042276.tif 000006
【図４】
2014042276.tif 000007
【図５】
2014042276.tif 000008
【図６】
2014042276.tif 000009
【図７】
2014042276.tif 000010
【図８】
2014042276.tif 000011
【図９】
2014042276.tif 000012
【図１０】
2014042276.tif 000013
【手続補正書】
【提出日】平成25年10月24日(2013.10.24)
【手続補正１】
【補正対象書類名】明細書
【補正対象項目名】００９３
【補正方法】変更
【補正の内容】
【００９３】
参照によってここに組み込まれると言われている任意の特許、広報または他の開示マテリアルの全体または一部が、既存の定義、ステートメントまたはこの開示で述べられた他の開示マテリアルと組み込まれたマテリアルが矛盾しない程度までここに組込まれることは認識されるべきである。そのため、必要な範囲で、明示的にここに述べられるような開示は、参照によってここに組み込まれたどんな矛盾するマテリアルにも優先する。参照によってここに組込まれると言われているが、ここに述べられた既存の定義、ステートメントまたは他の開示マテリアルと矛盾がある任意のマテリアルまたはそれの一部は、その組み込んだマテリアルと既存の開示マテリアルの間に矛盾が発生しない程度まで単に組み入れられるだろう。
以下に、本願出願時の請求の範囲に記載された発明を付記する。
［１］物理ランダムアクセスチャネル上のランダムアクセスチャネル手順中の物理アップリンク共有チャネル上の最初のメッセージの送信電力制御のための方法であって、
次の行為をインプリメントするためにコンピュータ可読記憶媒体上に格納されたコンピュータ実行命令を実行するプロセッサを使用することと、
成功受信のために十分なランダムアクセスチャネルプリアンブルを送信するための送信電力制御を行うことと、
成功裏に受信された前記ランダムアクセスチャネルプリアンブルの少なくとも一部に基づいた物理アップリンク共有チャネル上で送信した最初のメッセージのための送信電力制御をセットすることと、
を具備する方法。
［２］物理アップリンク共有チャネル上で送信するための十分な電力スペクトル密度を決定することによって、送信電力制御を行うことをさらに具備する、［１］の方法。
［３］前記ランダムアクセスチャネルプリアンブルと前記物理アップリンク共有チャネルとの間の帯域幅差を補うことをさらに具備する、［２］の方法。
［４］送信電力制御を行う中で、前記物理アップリンク共有チャネルの送信に適用可能でない前記ランダムアクセスチャネルプリアンブルのオフセットをアカウントすることをさらに具備する、［２］の方法。
［５］成功裏に受信された前記ランダムアクセスチャネルプリアンブルに使用された送信電力制御の指示を物理ランダムアクセスチャネル上で送信することと、
ランダムアクセスレスポンスを備えた物理アップリンク共有チャネル用の前記ランダムアクセスチャネルプリアンブルのために使用された送信電力制御の前記指示に部分的に基づいた送信電力制御コマンドを受け取ることと、
をさらに具備する、［１］の方法。
［６］成功裏に受信された前記ランダムアクセスチャネルプリアンブルの送信のために使用された電力スペクトル密度から物理アップリンク共有チャネルのための電力スペクトル密度中の相対変化を具備する前記物理アップリンク共有チャネルのための前記送信電力制御コマンドを受け取ることをさらに具備する、［５］の方法。
［７］再送信の数を伝えることによって、送信電力制御の前記指示を物理ランダムアクセスチャネル上で送信することをさらに具備し、
前記送信電力制御は、前記再送信の数のファンクションとして定義された電力増加に基づいて決定することができる、［５］の方法。
［８］前記ランダムアクセスチャネルプリアンブルの受信の肯定的な指示を受け取ることと、  独立した電力利得制御を含むメッセージデータまたは制御データを含んでいるメッセージ部分を送信することと、
をさらに具備する、［１］の方法。
［９］ランダムアクセスレスポンスを受け取ることによって、前記ランダムアクセスチャネルプリアンブルの受信の前記肯定的な指示を受け取ることをさらに具備する、［８］の方法。
［１０］媒体アクセス制御層によって、前記ランダムアクセスチャネルプリアンブルの送信を管理することと、
物理層によって、物理アップリンク共有チャネルの送信を管理することと、
をさらに具備する、［１］の方法。
［１１］名目上の送信電力値でランダムアクセスチャネルプリアンブルを送信することと、
ランダムアクセスレスポンスを受け取らないことに応じてステップアップされた送信電力値でランダムアクセスチャネルプリアンブルを再送信することと、
をさらに具備する、［１］の方法。
［１２］均等な電力ステップで増加することによって、物理ランダムアクセスチャネル上のランダムアクセスチャネルプリアンブル上で送信するための送信電力制御を行うことと、
前記ランダムアクセスチャネルプリアンブルが成功裏に受け取られるまで使用された均等な電力ステップの数の追跡によって、相対的な送信電力制御を決定することと、
をさらに具備する、［１］の方法。
［１３］前記均等な電力ステップの数を制限する最大の送信電力の決定によって、前記相対的な送信電力制御を決定することをさらに具備する、［１２］の方法。
［１４］媒体アクセス制御層によって管理された名目上の送信電力値でランダムアクセスチャネルプリアンブルを送信することと、
前記ランダムアクセスチャネルプリアンブルの受信の肯定的な指示を受け取らないことに応じて均等な電力ステップで増加することによって、物理ランダムアクセスチャネル上で送信するための送信電力制御を行うことと、
ステップアップされた送信電力値でランダムアクセスチャネルプリアンブルを再送信することと、
均等な電力ステップの数の追跡によって、相対的な送信電力制御を決定することと、
前記ランダムアクセスチャネルプリアンブルの受信の肯定的な指示を受け取ることと、
送信電力の指示を物理ランダムアクセスチャネル上で送信することと、
成功裏に受信された前記ランダムアクセスチャネルプリアンブルの前記送信電力に部分的に基づいて決定された物理アップリンク共有チャネル電力スペクトル密度へオフセットを示す送信電力制御コマンドを受け取ることと、 
物理アップリンク共有チャネル上で送信され、成功裏に受信された前記ランダムアクセスチャネルプリアンブルに部分的に基づいた前記送信電力制御コマンドに従って、物理層によって、物理アップリンク共有チャネルの送信を管理された最初のメッセージのための送信電力制御をセットすることと、
をさらに具備する、［１］の方法。
［１５］ノイズ／干渉変化のために調整することによって、物理アップリンク共有チャネル上で送信された前記最初のメッセージのための送信電力制御をセットすることをさらに具備する、［１４］の方法。
［１６］異なるメッセージ受信感度／品質要求を表す電力オフセットのために調整することによって、物理アップリンク共有チャネル上で送信された前記最初のメッセージのための送信電力制御をセットすることをさらに具備する、［１４］の方法。
［１７］成功裏に受信された前記ランダムアクセスチャネルプリアンブルのために使用された送信電力スペクトル密度のためのローカル保存値にアクセスすることと、
前記ローカル保存値の少なくとも一部に基づいた送信電力制御をセットすることと、
をさらに具備する、［１］の方法。
［１８］物理アップリンク共有チャネル上の一部のパスロスのために調整することをさらに具備し、物理ランダムアクセスチャネルのための合計電力制御は、全部のパスロス用である、［１］の方法。
［１９］物理ランダムアクセスチャネルおよび物理アップリンク共有チャネルの相対的な受信感度のために調整することをさらに具備する、［１］の方法。
［２０］前記相対的な受信感度は、カバレッジ要求、目標品質、物理層コーディング、変調、伝送帯域幅およびペイロードサイズの少なくとも１つのファンクションである、［１９］の方法。
［２１］物理ランダムアクセスチャネルおよび物理アップリンク共有チャネルのために見られた異なるノイズ／干渉レベルのために調整することをさらに具備する、［１］の方法。
［２２］物理ランダムアクセスチャネル上のランダムアクセスチャネル手順中の物理アップリンク共有チャネル上の最初のメッセージの送信電力制御のためのコンピュータプログラムプロダクトであって、
少なくとも１つのプロセッサによって実行された時、コンポーネントをインプリメントするコンピュータ実行命令を格納する少なくとも１つのコンピュータ可読記憶媒体を具備し、
前記コンポーネントは、
成功受信のために十分なランダムアクセスチャネルプリアンブルの送信上で送信電力制御をコンピュータに行わせるための命令の第１のセットと、
成功裏に受信された前記ランダムアクセスチャネルプリアンブルの少なくとも一部に基づいた物理アップリンク共有チャネル上で送信された最初のメッセージのための送信電力制御を前記コンピュータにセットさせるための命令の第２のセットと、
を具備するコンピュータプログラムプロダクト。
［２３］物理ランダムアクセスチャネル上のランダムアクセスチャネル手順中の物理アップリンク共有チャネル上の最初のメッセージの送信電力制御のための装置であって、
少なくとも１つのプロセッサと、
前記少なくとも１つのプロセッサによって実行された時、コンポーネントをインプリメントするコンピュータ実行命令を格納する少なくとも１つのコンピュータ可読記憶媒体と、
を具備し、
前記コンポーネントは、
成功受信のために十分なランダムアクセスチャネルプリアンブルの送信上で送信電力制御を行うための手段と、
成功裏に受信された前記ランダムアクセスチャネルプリアンブルの少なくとも一部に基づいた物理アップリンク共有チャネル上で送信された最初のメッセージのための送信電力制御をセットするための手段と、
を具備するコンピュータプログラムプロダクト。
［２４］物理ランダムアクセスチャネル上のランダムアクセスチャネル手順中の物理アップリンク共有チャネル上の最初のメッセージの送信電力制御のための装置であって、
物理ランダムアクセスチャネルおよび物理アップリンク共有チャネルを送信するための送信機と、
受信機と、
ランダムアクセスチャネルプリアンブルの送信上で送信電力制御を行うための媒体アクセス制御層と、
成功裏に受信された前記ランダムアクセスチャネルプリアンブルに基づいた物理アップリンク共有チャネル上で送信した最初のメッセージのための送信電力制御をセットするための物理層と、
を具備する装置。
［２５］前記媒体アクセス制御層は、さらに、物理アップリンク共有チャネル上で送信するための十分な電力スペクトル密度を決定することによって、送信電力制御を行う、［２４］の装置。
［２６］前記物理層は、さらに、前記ランダムアクセスチャネルプリアンブルと前記物理アップリンク共有チャネルとの間の帯域幅差を補う、［２５］の装置。
［２７］前記物理層は、さらに、送信電力制御を行う中で、前記物理アップリンク共有チャネルの送信に適用可能でない前記ランダムアクセスチャネルプリアンブルのオフセットをアカウントする、［２５］の装置。
［２８］前記媒体アクセス制御層は、さらに、成功裏に受信された前記ランダムアクセスチャネルプリアンブルに使用された送信電力の指示を物理ランダムアクセスチャネル上で送信し、
前記受信機は、さらに、前記指示の少なくとも一部に基づいたランダムアクセスレスポンスを備えた物理アップリンク共有チャネル用の送信電力制御コマンドを受け取る、
［２４］の装置。
［２９］前記受信機は、さらに、成功裏に受信された前記ランダムアクセスチャネルプリアンブルのために使用された送信電力レベルからの相対変化を具備する前記物理アップリンク共有チャネルのための送信電力制御コマンドを受け取る、［２８］の装置。
［３０］再送信の数を伝えることによって、送信電力制御の前記指示を物理ランダムアクセスチャネル上で送信することをさらに具備し、
前記送信電力制御は、前記再送信の数のファンクションとして定義された電力増加に基づいて決定することができる、［２９］の装置。
［３１］前記受信機は、さらに、ランダムアクセスチャネルプリアンブル受信の肯定的な指示を受け取り、
前記送信機は、さらに、独立した電力利得制御を含むメッセージデータまたは制御データを含んでいるメッセージ部分を送信する、
［２８］の装置。
［３２］前記受信機は、さらに、ランダムアクセスレスポンスを受け取ることによって、前記ランダムアクセスチャネルプリアンブルの受信の前記肯定的な指示を受け取る、［３１］の装置。
［３３］前記媒体アクセス制御層は、
名目上の送信電力値でランダムアクセスチャネルプリアンブルを送信することと、
ランダムアクセスレスポンスを受け取らないことに応じてステップアップされた送信電力値でランダムアクセスチャネルプリアンブルを再送信することと、
をさらに具備する、［２４］の装置。
［３４］前記媒体アクセス制御層は、
均等な電力ステップで増加することによって、物理ランダムアクセスチャネル送信のための送信電力制御を行うことと、
物理ランダムアクセスチャネルプリアンブルが成功裏に受け取られるまで使用された均等な電力ステップの数の追跡によって、相対的な送信電力制御を決定することと、
をさらに具備する、［２４］の装置。
［３５］前記媒体アクセス制御層は、
前記媒体アクセス制御層によって管理された名目上の送信電力値でランダムアクセスチャネルプリアンブルを送信することと、
受信の肯定的な指示を受け取らないことに応じて均等な電力ステップで増加することによって、ランダムアクセスチャネルプリアンブルを送信するための送信電力制御を行うことと、
ステップアップされた送信電力値でランダムアクセスチャネルプリアンブルを再送信することと、
均等な電力ステップの数の追跡によって、相対的な送信電力制御を決定することと、
を具備し、
前記受信機は、さらに、前記ランダムアクセスチャネルプリアンブルの受信の前記肯定的な指示を受け取り、
前記媒体アクセス制御層は、さらに、物理ランダムアクセスチャネル上で送信電力の指示を送信し、
前記受信機は、さらに、成功裏に受信された前記ランダムアクセスチャネルプリアンブルの前記送信電力に部分的に基づいて決定された物理アップリンク共有チャネル電力スペクトル密度へオフセットを示す送信電力制御コマンドを受け取り、
前記物理層は、物理アップリンク共有チャネル上で送信され、成功裏に受信されたランダムアクセスチャネルプリアンブルの少なくとも一部に基づいた前記送信電力制御コマンドに従って、前記物理層によって、物理アップリンク共有チャネルの送信を管理された最初のメッセージのための送信電力制御をセットする、
［２４］の装置。
［３６］前記物理層は、さらに、前記均等な電力ステップの数を制限する最大の送信電力の決定によって、前記相対的な送信電力制御を決定する、［３５］の装置。
［３７］前記物理層は、さらに、ノイズ／干渉変化のために調整することによって、物理アップリンク共有チャネル上で送信された前記最初のメッセージのための送信電力制御をセットする、［３５］の装置。
［３８］前記物理層は、さらに、異なるメッセージ受信感度／品質要求を表す電力オフセットのために調整することによって、物理アップリンク共有チャネル上で送信された前記最初のメッセージのための送信電力制御をセットする、［３５］の装置。
［３９］前記物理層は、
成功裏に受信された前記ランダムアクセスチャネルプリアンブルのために使用された送信電力スペクトル密度のためのローカル保存値にアクセスすることと、
前記ローカル保存値の少なくとも一部に基づいた送信電力制御をセットすることと、
をさらに具備する、［２４］の装置。
［４０］前記物理層は、さらに、物理アップリンク共有チャネル上の一部のパスロスのために調整し、物理ランダムアクセスチャネルのための合計電力制御は、全部のパスロス用である、［２４］の装置。
［４１］前記物理層は、さらに、物理ランダムアクセスチャネルおよび物理アップリンク共有チャネルの相対的な受信感度のために調整する、［２４］の装置。
［４２］前記相対的な受信感度は、カバレッジ要求、目標品質、物理層コーディング、変調、伝送帯域幅およびペイロードサイズの少なくとも１つのファンクションである、［４１］の装置。
［４３］物理ランダムアクセスチャネル上のランダムアクセスチャネル手順中の物理アップリンク共有チャネル上の最初のメッセージの送信電力制御のための方法であって、
次の行為をインプリメントするためにコンピュータ可読記憶媒体上に格納されたコンピュータ実行命令を実行するプロセッサを使用することと、
ランダムアクセスチャネルプリアンブルを受け取ることと、
前記ランダムアクセスチャネルプリアンブルの成功受信を確認することと、
成功裏に受信された前記ランダムアクセスチャネルプリアンブルに使用された送信電力制御の指示を含むランダムアクセスチャネルメッセージを受け取ることと、
成功裏に受信された前記ランダムアクセスチャネルプリアンブルのための送信電力制御の少なくとも一部に基づいた物理アップリンク共有チャネル上で送信した最初のメッセージのための送信電力制御コマンドを含むランダムアクセスレスポンスを送信することと、
を具備する、方法。
［４４］成功裏に受信された前記ランダムアクセスチャネルプリアンブルのために使用された送信電力からの相対的な電力変化を具備する前記物理アップリンク共有チャネルのための送信電力制御コマンドを送信することをさらに具備する、［４３］の方法。
［４５］前記ランダムアクセスチャネルプリアンブルの受信の肯定的な指示を送信することと、  独立した電力利得制御を含むメッセージデータまたは制御データを含むメッセージ部分を受け取ることと、
をさらに具備する、［４４］の方法。
［４６］前記最初のメッセージの物理アップリンク共有チャネル上で送信するための十分な電力スペクトル密度を決定することによって、物理アップリンク共有チャネル上で送信された前記最初のメッセージのための送信電力制御コマンドを決定することをさらに具備する、［４３］の方法。
［４７］前記ランダムアクセスチャネルプリアンブルと前記物理アップリンク共有チャネルの間の帯域幅差を補うことによって、物理アップリンク共有チャネル上で送信された前記最初のメッセージのための送信電力制御コマンドを決定することをさらに具備する、［４３］の方法。
［４８］物理アップリンク共有チャネルの送信に適用可能でない前記ランダムアクセスチャネルプリアンブルのオフセットをアカウントすることによって、物理アップリンク共有チャネル上で送信された前記最初のメッセージのための送信電力制御コマンドを決定することをさらに具備する、［４３］の方法。
［４９］ノイズ／干渉変化のために調整することによって、物理アップリンク共有チャネル上で送信された前記最初のメッセージのための送信電力制御コマンドを決定することをさらに具備する、［４３］の方法。
［５０］異なるメッセージ受信感度／品質要求を表す電力オフセットのために調整することによって、物理アップリンク共有チャネル上で送信された前記最初のメッセージのための送信電力制御をセットすることによって、物理アップリンク共有チャネル上で送信された前記最初のメッセージのための送信電力制御コマンドを決定することをさらに具備する、［４３］の方法。
［５１］物理ランダムアクセスチャネル上のランダムアクセスチャネル手順中の物理アップリンク共有チャネル上の最初のメッセージの送信電力制御のためのコンピュータプログラムプロダクトであって、
少なくとも１つのプロセッサによって実行された時、コンポーネントをインプリメントするコンピュータ実行命令を格納する少なくとも１つのコンピュータ可読記憶媒体を具備し、
前記コンポーネントは、
ランダムアクセスチャネルプリアンブルを受け取るための命令の第１のセットと、
前記ランダムアクセスチャネルプリアンブルの成功受信を確認するための命令の第２のセットと、
成功裏に受信された前記ランダムアクセスチャネルプリアンブルに使用された送信電力制御の指示を含むランダムアクセスチャネルメッセージを受け取るための命令の第３のセットと、
成功裏に受信された前記ランダムアクセスチャネルプリアンブルのための送信電力制御の少なくとも一部に基づいた物理アップリンク共有チャネル上で送信された最初のメッセージのための送信電力制御コマンドを含むランダムアクセスレスポンスを送信するための命令の第４のセットと、
を具備するコンピュータプログラムプロダクト。
［５２］物理ランダムアクセスチャネル上のランダムアクセスチャネル手順中の物理アップリンク共有チャネル上の最初のメッセージの送信電力制御のための装置であって、
少なくとも１つのプロセッサと、
前記少なくとも１つのプロセッサによって実行された時、コンポーネントをインプリメントするコンピュータ実行命令を格納する少なくとも１つのコンピュータ可読記憶媒体と、
を具備し、
前記コンポーネントは、
ランダムアクセスチャネルプリアンブルを受け取るための手段と、
前記ランダムアクセスチャネルプリアンブルの成功受信を確認するための手段と、
成功裏に受信された前記ランダムアクセスチャネルプリアンブルに使用された送信電力制御の指示を含むランダムアクセスチャネルメッセージを受け取るための手段と、
成功裏に受信された前記ランダムアクセスチャネルプリアンブルのための送信電力制御の少なくとも一部に基づいた物理アップリンク共有チャネル上で送信した最初のメッセージのための送信電力制御コマンドを含むランダムアクセスレスポンスを送信するための手段と、
を具備する装置。
［５３］物理ランダムアクセスチャネル上のランダムアクセスチャネル手順中の物理アップリンク共有チャネル上の最初のメッセージの送信電力制御のための装置であって、
物理ランダムアクセスチャネル上のランダムアクセスチャネルプリアンブルを受け取るための受信機と、
前記ランダムアクセスチャネルプリアンブルの成功受信を確認するための送信機と、前記受信機は、さらに、成功裏に受信された前記ランダムアクセスチャネルプリアンブルのための送信電力制御の指示を含むランダムアクセスチャネルメッセージを受け取る、
成功裏に受信された前記ランダムアクセスチャネルプリアンブルのための送信電力制御の少なくとも一部に基づいた物理アップリンク共有チャネル上で送信された最初のメッセージのための送信電力制御コマンドを含むランダムアクセスレスポンスを前記送信機によって送信するためのコンピューティングプラットフォームと、
を具備する装置。
［５４］前記コンピューティングプラットフォームは、さらに、成功裏に受信された前記ランダムアクセスチャネルプリアンブルに使用された送信電力からの相対的な電力変化を具備する前記物理アップリンク共有チャネルのための送信電力制御コマンドを前記送信機によって送信する、［５３］の装置。
［５５］前記コンピューティングプラットフォームは、さらに、ランダムアクセスチャネルプリアンブル受信の肯定的な指示を前記送信機によって送信し、
前記受信機は、さらに、独立した電力利得制御を含むメッセージデータまたは制御データを含むメッセージ部分を受け取る、［５４］の装置。
［５６］前記コンピューティングプラットフォームは、さらに、前記最初のメッセージの物理アップリンク共有チャネル上で送信するための十分な電力スペクトル密度を決定することによって、物理アップリンク共有チャネル上で送信された前記最初のメッセージのための送信電力制御コマンドを決定する、［５３］の装置。
［５７］前記コンピューティングプラットフォームは、さらに、前記ランダムアクセスチャネルプリアンブルと前記物理アップリンク共有チャネルの間の帯域幅差を補うことによって、物理アップリンク共有チャネル上で送信された前記最初のメッセージのための送信電力制御コマンドを決定する、［５４］の装置。
［５８］前記コンピューティングプラットフォームは、さらに、物理アップリンク共有チャネルの送信に適用可能でない前記ランダムアクセスチャネルプリアンブルのオフセットをアカウントすることによって、物理アップリンク共有チャネル上で送信された前記最初のメッセージのための送信電力制御コマンドを決定する、［５３］の装置。
［５９］前記コンピューティングプラットフォームは、さらに、ノイズ／干渉変化のために調整することによって、物理アップリンク共有チャネル上で送信された前記最初のメッセージのための送信電力制御コマンドを決定する、［５３］の装置。
［６０］前記コンピューティングプラットフォームは、さらに、異なるメッセージ受信感度／品質要求を表す電力オフセットのために調整することによって、物理アップリンク共有チャネル上で送信された前記最初のメッセージのための送信電力制御をセットすることによって、物理アップリンク共有チャネル上で送信された前記最初のメッセージのための送信電力制御コマンドを決定する、［５３］の装置。
【手続補正２】
【補正対象書類名】特許請求の範囲
【補正対象項目名】全文
【補正方法】変更
【補正の内容】
【特許請求の範囲】
【請求項１】
物理ランダムアクセスチャネル上のランダムアクセスチャネル手順中の物理アップリンク共有チャネル上の最初のメッセージの送信電力制御のための方法であって、
成功受信のために十分なランダムアクセスチャネルプリアンブルを送信するための送信電力制御を行うことと、
成功裏に受信された前記ランダムアクセスチャネルプリアンブルの送信のために使用された電力スペクトル密度から前記物理アップリンク共有チャネルのための電力スペクトル密度中の相対変化を具備する前記物理アップリンク共有チャネルのための送信電力制御コマンドを含むランダムアクセスレスポンスを受信することと、
前記送信電力制御コマンドに少なくとも一部基づいて、前記物理アップリンク共有チャネル上で送信された最初のメッセージのための送信電力制御をセットすることと、
を具備する方法。
【請求項２】
前記ランダムアクセスチャネルプリアンブルと前記物理アップリンク共有チャネルとの間の帯域幅差を補うこと、または
送信電力制御を行う中で、前記物理アップリンク共有チャネルの送信に適用可能でない前記ランダムアクセスチャネルプリアンブルのオフセットをアカウントすること、
をさらに具備する、請求項１の方法。
【請求項３】
成功裏に受信された前記ランダムアクセスチャネルプリアンブルに使用された送信電力制御の指示を物理ランダムアクセスチャネル上で送信することをさらに具備し、
前記ランダムアクセスレスポンスに含まれた前記送信電力制御コマンドは、前記ランダムアクセスチャネルプリアンブルのために使用された送信電力制御の前記指示に部分的に基づいて生成される、請求項１の方法。
【請求項４】
再送信の数を伝えることによって、送信電力制御の前記指示を物理ランダムアクセスチャネル上で送信することをさらに具備し、
前記送信電力制御は、前記再送信の数のファンクションとして定義された電力増加に基づいて決定することができる、請求項３の方法。
【請求項５】
名目上の送信電力値でランダムアクセスチャネルプリアンブルを送信することと、
ランダムアクセスレスポンスを受け取らないことに応じてステップアップされた送信電力値でランダムアクセスチャネルプリアンブルを再送信することと、
をさらに具備する、請求項１の方法。
【請求項６】
媒体アクセス制御層によって管理された名目上の送信電力値でランダムアクセスチャネルプリアンブルを送信することと、
前記ランダムアクセスチャネルプリアンブルの受信の肯定的な指示を受け取らないことに応じて均等な電力ステップで増加することによって、物理ランダムアクセスチャネル上で送信するための送信電力制御を行うことと、
ステップアップされた送信電力値でランダムアクセスチャネルプリアンブルを再送信することと、
均等な電力ステップの数の追跡によって、相対的な送信電力制御を決定することと、
前記ランダムアクセスチャネルプリアンブルの受信の肯定的な指示を受け取ることと、
送信電力の指示を物理ランダムアクセスチャネル上で送信することと、
成功裏に受信された前記ランダムアクセスチャネルプリアンブルの前記送信電力に部分的に基づいて決定された物理アップリンク共有チャネル電力スペクトル密度へオフセットを示す送信電力制御コマンドを受け取ることと、
物理アップリンク共有チャネル上で送信され、成功裏に受信された前記ランダムアクセスチャネルプリアンブルに部分的に基づいた前記送信電力制御コマンドに従って、物理層によって、物理アップリンク共有チャネルの送信を管理された最初のメッセージのための送信電力制御をセットすることと、
をさらに具備する、請求項１の方法。
【請求項７】
ノイズ／干渉変化のために、または、異なるメッセージ受信感度／品質要求を表す電力オフセットのために、調整することによって、物理アップリンク共有チャネル上で送信された前記最初のメッセージのための送信電力制御をセットすることをさらに具備する、請求項６の方法。
【請求項８】
成功裏に受信された前記ランダムアクセスチャネルプリアンブルのために使用された送信電力スペクトル密度のためのローカル保存値にアクセスすることと、
前記ローカル保存値に少なくとも一部基づいて送信電力制御をセットすることと、
をさらに具備する、請求項１の方法。 
【請求項９】
物理ランダムアクセスチャネル上のランダムアクセスチャネル手順中の物理アップリンク共有チャネル上の最初のメッセージの送信電力制御のための装置であって、
成功受信のために十分なランダムアクセスチャネルプリアンブルの送信上で送信電力制御を行うための手段と、
成功裏に受信された前記ランダムアクセスチャネルプリアンブルの送信のために使用された電力スペクトル密度から前記物理アップリンク共有チャネルのための電力スペクトル密度中の相対変化を具備する前記物理アップリンク共有チャネルのための送信電力制御コマンドを含むランダムアクセスレスポンスを受信するための手段と、
前記送信電力制御コマンドに少なくとも一部基づいて、前記物理アップリンク共有チャネル上で送信された最初のメッセージのための送信電力制御をセットするための手段と、
を具備する装置。
【請求項１０】
物理ランダムアクセスチャネル上のランダムアクセスチャネル手順中の物理アップリンク共有チャネル上の最初のメッセージの送信電力制御のための方法であって、
ランダムアクセスチャネルプリアンブルを受け取ることと、
前記ランダムアクセスチャネルプリアンブルの成功受信を確認することと、
成功裏に受信された前記ランダムアクセスチャネルプリアンブルに使用された送信電力制御の指示を含むランダムアクセスチャネルメッセージを受け取ることと、
前記物理アップリンク共有チャネル上で前記最初のメッセージを送信するための十分な電力スペクトル密度を決定することによって、前記物理アップリンク共有チャネル上で送信された前記最初のメッセージのための送信電力制御コマンドを決定することと、
成功裏に受信された前記ランダムアクセスチャネルプリアンブルのための前記送信電力制御に少なくとも一部基づいた物理アップリンク共有チャネル上で送信された前記最初のメッセージのための前記送信電力制御コマンドを含むランダムアクセスレスポンスを送信することと、
を具備する、方法。
【請求項１１】
成功裏に受信された前記ランダムアクセスチャネルプリアンブルのために使用された送信電力からの相対的な電力変化を具備する前記物理アップリンク共有チャネルのための送信電力制御コマンドを送信することをさらに具備する、請求項１０の方法。
【請求項１２】
前記ランダムアクセスチャネルプリアンブルの受信の肯定的な指示を送信することと、
独立した電力利得制御を含むメッセージデータまたは制御データを含むメッセージ部分を受け取ることと、
をさらに具備する、請求項１１の方法。
【請求項１３】
前記最初のメッセージの物理アップリンク共有チャネル上で送信するための十分な電力スペクトル密度を決定すること、
前記ランダムアクセスチャネルプリアンブルと前記物理アップリンク共有チャネルの間の帯域幅差を補うこと、
物理アップリンク共有チャネルの送信に適用可能でない前記ランダムアクセスチャネルプリアンブルのオフセットをアカウントすること、
ノイズ／干渉変化のために調整すること、または、
異なるメッセージ受信感度／品質要求を表す電力オフセットのために調整することによって、物理アップリンク共有チャネル上で送信された前記最初のメッセージのための送信電力制御をセットすること、によって、
物理アップリンク共有チャネル上で送信された前記最初のメッセージのための送信電力制御コマンドを決定することをさらに具備する、請求項１０の方法。
【請求項１４】
物理ランダムアクセスチャネル上のランダムアクセスチャネル手順中の物理アップリンク共有チャネル上の最初のメッセージの送信電力制御のための装置であって、
ランダムアクセスチャネルプリアンブルを受け取るための手段と、
前記ランダムアクセスチャネルプリアンブルの成功受信を確認するための手段と、
成功裏に受信された前記ランダムアクセスチャネルプリアンブルに使用された送信電力制御の指示を含むランダムアクセスチャネルメッセージを受け取るための手段と、
成功裏に受信された前記ランダムアクセスチャネルプリアンブルのための送信電力制御に少なくとも一部基づいた物理アップリンク共有チャネル上で送信された最初のメッセージのための送信電力制御コマンドを含むランダムアクセスレスポンスを送信するための手段と、
前記物理アップリンク共有チャネル上で前記最初のメッセージを送信するための十分な電力スペクトル密度を決定することによって、前記物理アップリンク共有チャネル上で送信された前記最初のメッセージのための前記送信電力制御コマンドを決定するための手段と、
を具備する装置。
【請求項１５】
プロセッサによって実行される時、請求項１乃至請求項８、請求項１０乃至請求項１３のいずれかの方法ステップの実行に帰着した命令を具備するコンピュータ可読媒体。
【手続補正書】
【提出日】平成25年11月27日(2013.11.27)
【手続補正１】
【補正対象書類名】明細書
【補正対象項目名】００２５
【補正方法】変更
【補正の内容】
【００２５】
ステージ２  １２６は、ｅＮＢ１０４から成功裏で受信されたＲＡＲ（で生じるブロック１２８）。このＲＡＲ１２８は、ＵＥ１０２のための割り当てられた一時的な無線ネットワーク一時的識別子（ＲＮＴＩ）のような情報を提供することができ、ＵＥ１０２がより多くの機能情報を転送することができるように、アップリンク許可をスケジュールする。送信電力の増加に対応した再送信の数のモニタに基づいて、ＭＡＣ１１０は、成功した最初のＰＵＳＣＨ送信用の共有するためのあるＴＰＣのデータ１１４を獲得する。したがって、ステージ３  １２９で、ＰＨＹ１０８は、成功裏に、１３０で描かれるようなＴＰＣをセットし、ｅＮＢ１０４に送信がスケジューリングされた最初のＰＵＳＣＨを送信する（ブロック１３２）。その後、ｅＮＢ１０４は、ステージ４  １３６としてコンテンション解決メッセージを送信し（ブロック１３４）、ＲＡＣＨ手順１０６を終える。
【手続補正２】
【補正対象書類名】明細書
【補正対象項目名】００７３
【補正方法】変更
【補正の内容】
【００７３】
コントローラ／プロセッサ５４０および５８０は、基地局５０２およびターミナル５０４でオペレーションをそれぞれ指示してもよい。プロセッサ５４０および／または基地局５０２での他のプロセッサおよびモジュールは、ここに記述した技術のために行うまたは直接行ってもよい。プロセッサ５８０および／またはターミナル５０４での他のプロセッサおよびモジュールは、ここに記述した技術のために行うまたは直接行ってもよい。メモリ５４２および５８２は、基地局５０２およびターミナル５０４のためのデータとプログラムコードをそれぞれ格納してもよい。スケジューラ５４４は、ダウンリンクおよび／またはアップリンク上のデータ伝送のためのターミナルをスケジュールしてもよいし、スケジュールされたターミナルのためのリソース許可を提供してもよい。
【手続補正３】
【補正対象書類名】図面
【補正対象項目名】図６
【補正方法】変更
【補正の内容】
【図６】
2014042276.tif 000014